(57)【特許請求の範囲】
【請求項１】
注目情報と当該注目情報以外の情報である非注目情報の間の距離が、上限値と０でない下限値を持つ所定の範囲に含まれる場合、前記距離から表示距離を、前記距離における大小関係と前記距離に対応する前記表示距離における大小関係が同じになり、前記表示距離が予め与えられた範囲に含まれるように算出し、位置が固定であり前記注目情報を表す画面上の原点から、算出した前記表示距離だけ離れた位置に、前記非注目情報を特定する識別マークを表示し、前記距離が前記所定の範囲に含まれない場合、前記識別マークを表示しない表示制御手段と、
前記所定の範囲の指示を受信する表示領域移動手段と
を含む関係情報表示装置。
【請求項２】
前記注目情報と前記非注目情報との間の関係の強さを表す関係強度から、前記距離を算出する関係情報生成手段
を含む請求項１に記載の関係情報表示装置。
【請求項３】
前記表示領域移動手段は、前記所定の範囲の前記指示として、原点方向への移動の指示又は原点から遠ざかる方向への移動の指示を受信し、前記原点方向への移動の指示を受信した場合、前記上限値及び前記下限値を減少させ、前記原点から遠ざかる方向への移動の指示を受信した場合、前記上限値及び前記下限値を増加させる
請求項１又は２に記載の関係情報表示装置。
【請求項４】
前記関係情報生成手段は、前記注目情報と関係がある前記非注目情報間の関係の強さを表す関係強度各々から、前記非注目情報各々に対して角度を算出し、
前記表示制御手段は、前記非注目情報各々に対して、当該非注目情報の前記識別マークを、前記原点を端点とする所定の半直線となす角度が、前記非注目情報に対して算出した前記角度である、前記原点を端点とする半直線上の、前記非注目情報に対応する前記表示距離だけ前記原点から離れた位置に表示する
請求項１乃至３のいずれかに記載の関係情報表示装置。
【請求項５】
前記表示制御手段は、前記識別マークのサイズ、明るさ、色の少なくともいずれか一つを、当該識別マークの前記表示距離の大きさに応じて決定する
請求項１乃至４のいずれかに記載の関係情報表示装置。
【請求項６】
注目情報と当該注目情報以外の情報である非注目情報の間の距離が、上限値と０でない下限値を持つ所定の範囲に含まれる場合、前記距離から表示距離を、前記距離における大小関係と前記距離に対応する前記表示距離における大小関係が同じになり、前記表示距離が予め与えられた範囲に含まれるように算出し、位置が固定であり前記注目情報を表す画面上の原点から、算出した前記表示距離だけ離れた位置に、前記非注目情報を特定する識別マークを表示し、前記距離が前記所定の範囲に含まれない場合、前記識別マークを表示せず、
前記所定の範囲の指示を受信する
関係情報表示方法。
【請求項７】
前記注目情報と前記非注目情報との間の関係の強さを表す関係強度から、前記距離を算出する
請求項６に記載の関係情報表示方法。
【請求項８】
前記所定の範囲の前記指示として、原点方向への移動の指示又は原点から遠ざかる方向への移動の指示を受信し、前記原点方向への移動の指示を受信した場合、前記上限値及び前記下限値を減少させ、前記原点から遠ざかる方向への移動の指示を受信した場合、前記上限値及び前記下限値を増加させる
請求項６又は７に記載の関係情報表示方法。
【請求項９】
前記注目情報と関係がある前記非注目情報間の関係の強さを表す関係強度各々から、前記非注目情報各々に対して角度を算出し、
前記非注目情報各々に対して、当該非注目情報の前記識別マークを、前記原点を端点とする所定の半直線となす角度が、前記非注目情報に対して算出した前記角度である、前記原点を端点とする半直線上の、前記非注目情報に対応する前記表示距離だけ前記原点から離れた位置に表示する
請求項６乃至８のいずれかに記載の関係情報表示方法。
【請求項１０】
前記識別マークのサイズ、明るさ、色の少なくともいずれか一つを、当該識別マークの前記表示距離の大きさに応じて決定する
請求項６乃至９のいずれかに記載の関係情報表示方法。
【請求項１１】
コンピュータを、
注目情報と当該注目情報以外の情報である非注目情報の間の距離が、上限値と０でない下限値を持つ所定の範囲に含まれる場合、前記距離から表示距離を、前記距離における大小関係と前記距離に対応する前記表示距離における大小関係が同じになり、前記表示距離が予め与えられた範囲に含まれるように算出し、位置が固定であり前記注目情報を表す画面上の原点から、算出した前記表示距離だけ離れた位置に、前記非注目情報を特定する識別マークを表示し、前記距離が前記所定の範囲に含まれない場合、前記識別マークを表示しない表示制御手段と、
前記所定の範囲の指示を受信する表示領域移動手段と
して動作させる関係情報表示プログラム。
【請求項１２】
コンピュータを、
前記注目情報と前記非注目情報との間の関係の強さを表す関係強度から、前記距離を算出する関係情報生成手段と
して動作させる請求項１１に記載の関係情報表示プログラム。
【請求項１３】
コンピュータを、
前記所定の範囲の前記指示として、原点方向への移動の指示又は原点から遠ざかる方向への移動の指示を受信し、前記原点方向への移動の指示を受信した場合、前記上限値及び前記下限値を減少させ、前記原点から遠ざかる方向への移動の指示を受信した場合、前記上限値及び前記下限値を増加させる前記表示領域移動手段と
して動作させる請求項１１又は１２に記載の関係情報表示プログラム。
【請求項１４】
コンピュータを、
前記注目情報と関係がある前記非注目情報間の関係の強さを表す関係強度各々から、前記非注目情報各々に対して角度を算出する前記関係情報生成手段と、
前記非注目情報各々に対して、当該非注目情報の前記識別マークを、前記原点を端点とする所定の半直線となす角度が、前記非注目情報に対して算出した前記角度である、前記原点を端点とする半直線上の、前記原点からの距離が前記非注目情報の前記表示距離である位置に、表示する前記表示制御手段と
して動作させる請求項１１乃至１３のいずれかに記載の関係情報表示プログラム。
【請求項１５】
コンピュータを、
前記識別マークのサイズ、明るさ、色の少なくともいずれか一つを、当該識別マークの前記表示距離の大きさに応じて決定する前記表示制御手段と
して動作させる請求項１１乃至１４のいずれかに記載の関係情報表示プログラム。
【発明の詳細な説明】
【技術分野】
【０００１】
本発明は、注目する特定の情報と他の情報の関係を表した関係情報を表示する関係情報表示装置、関係情報表示方法および関係情報表示プログラムに関する。本発明は、たとえばテレビジョンや携帯電話機、コンピュータのように視覚的な表示装置と操作キーを持った装置に好適に使用することができる。
【背景技術】
【０００２】
ユーザが各種の調査や分析を行う際に、分析対象を構成する情報間の関連を把握することが必要になる場合が多い。このようなとき、ユーザは、分析対象となるすべての情報の相互関係を一様に把握するのではなく、コンピュータによって注目すべき特定の情報（以下、注目情報という。）と、それ以外の情報との関係を把握することが必要な場合がある。
そのような例として、ある特定の人間を中心とした人間関係がある。
他の例として、あるユーザの嗜好に対する他のユーザの嗜好の類似の程度がある。例えば、あるユーザと映画や音楽等のコンテンツの嗜好が近い他のユーザが、過去に購入したコンテンツから、前記あるユーザに提示するコンテンツを選択したいとする。この場合、コンテンツの提示の対象となるユーザの嗜好に対する、他のユーザの嗜好の近さを把握することが必要である。
さらに他の例として、映画や音楽等のコンテンツに対するユーザの興味の強さがある。この場合、ユーザが注目情報であり、各コンテンツがそれ以外の情報である。ユーザが興味を持つコンテンツをユーザに提示するためには、ユーザの各コンテンツに対する興味の強さを把握することが必要である。
一般に、注目情報とそれ以外の情報との関係を分析した結果である関係情報を視覚的に表現することは、その内容の理解を助ける上で重要である。
注目情報とそれ以外の情報の関係を視覚的に表現する本発明の第１の関連技術として、特許文献１に記載の関連性表示装置がある。特許文献１の関連性表示装置は、注目情報を極座標系の中心に配置し、かつそれ以外の情報をその周囲の所定の位置に配置した図を発生する。さらに、その関連性表示装置は、その図によって、異なる２つの情報間の関係の強さである関係強度を表す。この第１の関連技術は、注目情報と、注目情報以外の情報である非注目情報の関係の強さを、両者の距離である、非注目情報の位置の動径長によって表す。第１の関連技術は、非注目情報の注目情報との間の関係強度が大きいほど、該非注目情報を表示する位置の動径長を小さくすることで、注目情報の位置に当たる原点の近くに該非注目情報を表示する。また、非注目情報同士の関係の強さは、これらの非注目情報が配置される２点と、注目情報が配置される極座標系の中心点とのなす中心角で表す。一方、特許文献１の関連性表示装置は、注目情報と関係が無い非注目情報の表示を行わない。
図２５は、この第１の関連技術による関係情報の表示例を示したものである。ここで、注目情報は情報Ｄ０１とする。情報Ｄ０１は極座標系の中心である原点に配置される。情報Ｄ０１に対する非注目情報Ｄ０２〜Ｄ０７の関係強度は、４段階の動径長で表現されている。非注目情報Ｄ０２〜Ｄ０７同士の関係強度は、原点及び各々の非注目情報の位置がなす中心角の大きさで表現されている。図２５の例において、２つの非注目情報の間の関係強度が大きいほど、前記中心角は小さい。また、２つの非注目情報の間の関係強度が小さいほど、前記中心角は大きい。
図２６は、図２５の表示例における情報Ｄ０１〜Ｄ０７の関係強度を表したものである。この関係強度説明図は各情報Ｄ０１〜Ｄ０７をマトリックス状に表示している。ここでは、各情報Ｄ０１〜Ｄ０７の関係強度は、それぞれに対応する行項目と列項目の組によって表現されている。たとえば、注目情報Ｄ０１と非注目情報Ｄ０２の関係強度は数値「４」である。また、非注目情報Ｄ０２と非注目情報Ｄ０４の関係強度は数値「０」である。これら各情報Ｄ０１〜Ｄ０７の関係強度を表す数値は、図２６において整数を用いて表現しているが、必ずしも整数とは限らない。関係強度を表す数値は実数であってもよい。
図２６において、各情報Ｄ０１〜Ｄ０７の関係強度は数値によって表されているが、この図だけでこれらの関係を直感的に把握することはできない。そこで第１の関連技術では、図２５に示すようにこれらの関係を図で表現する。第１の関連技術の関係性表示装置は、注目情報Ｄ０１を極座標系の原点に配置し、非注目情報Ｄ０２〜Ｄ０７を、注目情報Ｄ０１との関係強度が強いほど原点からの距離である動径が短くなるように配置する。たとえば、数値「４」で表される注目情報Ｄ０１と非注目情報Ｄ０２の間の関係強度は、数値「３」で表される注目情報Ｄ０１と非注目情報Ｄ０３の間の関係強度よりも大きい。このため、図２５において、動径ｒ０１０２は動径ｒ０１０３よりも短い。また、数値「１」で表される注目情報Ｄ０１と非注目情報Ｄ０７の間の関係強度は、数値「３」で表される注目情報Ｄ０１と非注目情報Ｄ０３の間の関係強度よりも小さい。従って、図２５において、注目情報Ｄ０１と非注目情報Ｄ０７の関係強度を表す動径ｒ０１０７は、動径ｒ０１０２あるいは動径ｒ０１０３よりも長い。一方、図２６に示す注目情報Ｄ０１と非注目情報Ｄ０８の関係強度は数値「０」なので、図２５において非注目情報Ｄ０８は表示されていない。
また、図２６を参照すると、非注目情報Ｄ０２、Ｄ０３の間の関係強度は、数値「４」である。一方、非注目情報Ｄ０４、Ｄ０７の間の関係強度は、数値「０」であり、非注目情報Ｄ０２、Ｄ０３の間の関係強度よりも小さい。したがって、図２５において、非注目情報Ｄ０２、Ｄ０３の間の関係強度を表す中心角θ０２０３は、非注目情報Ｄ０４、Ｄ０７の間の関係強度を表す中心角θ０４０７よりも小さい。
【先行技術文献】
【特許文献】
【０００３】
【特許文献１】特開２００７−２４９６４１号公報（第００２０段落〜第００２３段落、図２、図３）
【発明の概要】
【発明が解決しようとする課題】
【０００４】
このように第１の関連技術を使用することで、注目情報と非注目情報との関係強度および、非注目情報同士の関係強度を図として表すことができる。しかしながら、第１の関連技術は、比較的解像度が低く表示画面の面積が限られるような情報処理装置に適用される場合、１枚の表示画面に全情報の配置を表示することが困難になるという問題がある。たとえば携帯電話機のような小型の情報処理装置が図２５に示すような表示を行う場合、互いに近接して配置された３つの非注目情報Ｄ０２、Ｄ０３、Ｄ０６の表示位置を明確に区別することができない。２つの非注目情報Ｄ０４、Ｄ０５の表示位置も位置的に接近しすぎる結果、同様の問題がある。
このような表示上の問題は、各情報Ｄ０１、Ｄ０２、……の配置関係の全体を一度に画面に表示せず、この中の一部領域を抜き出して拡大して１枚の表示画面に表示すると共に、抜き出す領域を一部分ずつ移動させることで解決する。ところが、表示画面を備えた情報処理装置のうちで携帯電話機やテレビジョン装置のような装置は、マウス等のポインティングデバイスと異なり、入力デバイスが比較的簡単な構成となっている。たとえば携帯電話機やテレビジョン装置は、移動方向を指示する入力デバイスとして十字キーを用いる場合が多い。
十字キーを用いる場合、９０度の整数倍の角度方向の指定は簡単であるが、これら以外の方向としての斜め方向に表示領域を移動させることは、困難である。したがって、十字キーを用いた表示領域の移動を行うと、９０度の整数倍の角度方向以外の方向への移動操作が分かりにくく、覚え辛いだけでなく、操作に誤りを発生させやすい。他の簡易型の入力デバイスについても、表示領域の移動あるいは表示範囲の変更に関して同様の問題がある。また、極座標を表示に用いた場合を説明したが、他の座標系を使用した場合にも、表示領域の移動あるいは表示範囲の変更に同様の問題がある。
そこで本発明の目的は、表示の対象となる領域の全体的なサイズが表示デバイスの表示領域よりも大きい場合であっても、簡単な操作で必要な範囲の情報の表示を可能とする関係情報表示装置、方法およびプログラムを提供することにある。
【課題を解決するための手段】
【０００５】
本発明の関係情報表示装置は、相互の関係の強さの程度を表す関係強度の表示を行う対象の複数の情報から、あらかじめ一つ選択した注目情報と、前記複数の情報のうち前記注目情報以外の情報である一つ又は複数の非注目情報との間の、あらかじめ定めた関係強度から、前記一つ又は複数の非注目情報の前記注目情報との間の距離を、所定の方法で計算し、計算した前記距離を含む前記複数の情報の関係強度情報を生成する関係情報生成手段と、前記非注目情報の前記注目情報との間の前記距離が内部に含まれる場合に該非注目情報が注目情報に対する関係強度の程度を表示する対象になる表示範囲の、最大値及び最小値を、入力装置を介した指示に基づき、同時に増減させることで前記表示範囲を移動させる表示領域移動手段と、
前記一つ又は複数の非注目情報の前記注目情報との間の前記距離に基づいて、関係情報の表示を行うための表示領域上における原点から前記非注目情報を表示する位置までの距離である表示距離を、前記距離の大小関係が前記表示距離においても変化せず、前記表示範囲がいずれであるかによらず前記表示距離の値が所定の一定範囲に含まれるように、算出する表示情報生成手段と、前記非注目情報の前記注目情報との間の前記距離が前記表示範囲に含まれる場合、前記表示領域内の固定した１点に位置し注目情報の位置を表す原点からの距離が、前記表示情報生成手段が算出した前記表示距離である前記表示画面内の場所に、前記非注目情報に割り当てられるよう制御し、該非注目情報を特定するための識別マークを、原点からの距離の指標を表す図形に重畳して出力装置に表示し、前記表示領域を前記出力装置に出力するよう制御する表示制御手段と、を含む。
本発明の関係情報表示方法は、相互の関係の強さの程度を表す関係強度の表示を行う対象の複数の情報から、あらかじめ一つ選択した注目情報と、前記複数の情報のうち前記注目情報以外の情報である一つ又は複数の非注目情報との間の、あらかじめ定めた関係強度から、前記一つ又は複数の非注目情報の前記注目情報との間の距離を、所定の方法で計算し、計算した前記距離を含む前記複数の情報の関係強度情報を生成し、前記非注目情報の前記注目情報との間の前記距離が内部に含まれる場合に該非注目情報が注目情報に対する関係強度の程度を表示する対象になる表示範囲の、最大値及び最小値を、入力装置を介した指示に基づき、同時に増減させることで前記表示範囲を移動させ、前記一つ又は複数の非注目情報の前記注目情報との間の前記距離に基づいて、関係情報の表示を行うための表示領域上における原点から前記非注目情報を表示する位置までの距離である表示距離を、前記距離の大小関係が前記表示距離においても変化せず、前記表示範囲がいずれであるかによらず前記表示距離の値が所定の一定範囲に含まれるように、算出し、前記非注目情報の前記注目情報との間の前記距離が前記表示範囲に含まれる場合、前記表示領域内の固定した１点に位置し注目情報の位置を表す原点からの距離が、前記表示情報生成手段が算出した前記表示距離である前記表示画面内の場所に、前記非注目情報に割り当てられるよう制御し、該非注目情報を特定するための識別マークを、原点からの距離の指標を表す図形に重畳して出力装置に表示し、前記表示領域を前記出力装置に出力するよう制御する。
本発明の関係情報表示プログラムは、コンピュータに、相互の関係の強さの程度を表す関係強度の表示を行う対象の複数の情報から、あらかじめ一つ選択した注目情報と、前記複数の情報のうち前記注目情報以外の情報である一つ又は複数の非注目情報との間の、あらかじめ定めた関係強度から、前記一つ又は複数の非注目情報の前記注目情報との間の距離を、所定の方法で計算し、計算した前記距離を含む前記複数の情報の関係強度情報を生成する関係情報生成処理と、前記非注目情報の前記注目情報との間の前記距離が内部に含まれる場合に該非注目情報が注目情報に対する関係強度の程度を表示する対象になる表示範囲の、最大値及び最小値を、入力装置を介した指示に基づき、同時に増減させることで前記表示範囲を移動させる表示領域移動処理と、前記一つ又は複数の非注目情報の前記注目情報との間の前記距離に基づいて、関係情報の表示を行うための表示領域上における原点から前記非注目情報を表示する位置までの距離である表示距離を、前記距離の大小関係が前記表示距離においても変化せず、前記表示範囲がいずれであるかによらず前記表示距離の値が所定の一定範囲に含まれるように、算出する表示情報生成処理と、
前記非注目情報の前記注目情報との間の前記距離が前記表示範囲に含まれる場合、前記表示領域内の固定した１点に位置し注目情報の位置を表す原点からの距離が、前記表示情報生成手段が算出した前記表示距離である前記表示画面内の場所に、前記非注目情報に割り当てられるよう制御し、該非注目情報を特定するための識別マークを、原点からの距離の指標を表す図形に重畳して出力装置に表示し、前記表示領域を前記出力装置に出力するよう制御する表示制御処理と、を実行させる。
【発明の効果】
【０００６】
以上説明したように本発明は視覚化表現を表示する表示領域が限られる場合に、簡単な操作でその表示領域に異なった表示範囲の情報を表示することができる。しかも、表示範囲の変化は基準となる注目情報の位置を固定して行うので、表示される各情報の位置関係を容易に把握することができる。また、表示範囲の変化は簡単な操作で可能である。
【図面の簡単な説明】
【０００７】
【図１】第１の実施形態に係る関係情報表示装置の構成を表す図である。
【図２】第１、第２の実施形態の関係情報表示装置の動作を示すフローチャートである。
【図３】第２の実施形態に係る関係情報表示装置の構成を表す図である。
【図４】第３の実施形態の関係情報表示装置の構成の概要を表したブロック図である。
【図５】第３の実施形態で表示の対象となる情報空間の全領域の一例を示した説明図である。
【図６】情報Ｄ１〜Ｄ４の関係強度を表す関係強度説明図である。
【図７】表示範囲を順次変更する場合の関係情報の表示例を示す図である。
【図８】表示範囲を順次変更する場合の関係情報の表示例を示す図である。
【図９】表示範囲を順次変更する場合の関係情報の表示例を示す図である。
【図１０】第３の実施形態でユーザが表示の対象とする情報を入力してからその初期表示が行われるまでの処理を表すフローチャートである。
【図１１】ステップＳ２０６で説明した画面設定情報の設定の処理を表すフローチャートである。
【図１２】第１、第２、第３の実施形態でアイコンの表示倍率と動径との関係を表した特性曲線の一例を示した特性図である。
【図１３】第３の実施形態で液晶ディスプレイに各情報の関係強度が初期的に表示された後におけるキーの押下による表示制御の処理を表したフローチャートである。
【図１４】第３の実施形態の第１の変形例における関係情報表示装置の構成の概要を表したブロック図である。
【図１５】第３の実施形態の第１の変形例において表示される関係情報の一例を表した平面図である。
【図１６】第３の実施形態の第１の変形例におけるアイコンの背景色の制御の処理を表したフローチャートである。
【図１７】第３の実施形態の第２の変形例における関係情報表示装置の構成の概要を表したブロック図である。
【図１８】第３の実施形態の第２の変形例における３つの非注目情報Ｄ２、Ｄ３、Ｄ４のアイコンの表示例を示した平面図である。
【図１９】第３の実施形態の第２の変形例におけるアイコンの形状の説明図である。
【図２０】第３の実施形態の第２の変形例におけるアイコンの表示処理を表したフローチャートである。
【図２１】第３の実施形態の第３の変形例における関係情報表示装置の構成の概要を表したブロック図である。
【図２２】第３の実施形態の第３の変形例におけるアイコンの表示処理を表したフローチャートである。
【図２３】第３の実施形態の第４の変形例における関係情報の表示例を表した平面図である。
【図２４】第３の実施形態の第５の変形例における関係情報の表示例を表した平面図である。
【図２５】第１の関連技術による関係情報の表示例を示した説明図である。
【図２６】図２５の表示例における情報Ｄ０１〜Ｄ０８の関係強度を表した説明図である。
【図２７】本発明のその他の実施形態の関係情報表示装置の構成図である。
【図２８】本発明のその他の実施形態の関係情報表示方法の構成図である。
【図２９】本発明のその他の実施形態の関係情報表示プログラムの構成図である。
【符号の説明】
【０００８】
１、１Ａ、１０、１００、１００Ａ、１００Ｂ、１００Ｃ  関係情報表示装置
２、２Ａ  関係情報生成部
３、３Ａ  表示情報生成部
４、１０７  表示領域移動部
５、５Ａ  表示制御部
６  入力装置
７  出力装置
１１  表示ウィンドウ設定手段
１２  抽出情報表示手段
１３  指定値増減手段
１４  表示消去手段
２０  関係情報表示方法
２１  注目情報設定
２２  増減量指定
２３  識別マーク割り当て
２４  表示制御
３０  関係情報表示プログラム
３１  注目情報設定処理
３２  増減量指定処理
３３  識別マーク割り当て処理
３４  表示制御処理
１０１  ＣＰＵ
１０２、１０２Ａ、１０２Ｂ、１０２Ｃ  メモリ
１０３、１０３Ａ、１０３Ｂ、１０３Ｃ  主制御部
１０４  入出力装置
１０５  情報配置部
１０６  凹面表現部
１０８  情報縮小部
１１１  上下キー
１１２  液晶ディスプレイ
１２１  表示画面
１２２  円
１３１２、１３１３、１３１４、１３１Ａ２、１３１Ａ３、１３１Ａ４、１３１Ｂ２、１３１Ｂ３、１３１Ｂ４、１３１Ｄ３、１３１Ｄ４、１３１Ｅ３、１３１Ｅ４、１３１Ｅ５  アイコン（識別マーク）
３０１  情報明度変更部
５１１  原点と非注目情報Ｄ３の表示位置を通る直線
５１２  点Ｐにおける円１２２の接線
５２１、５２２、５２３、５２４  台形の辺
７０１  情報色彩変更部
７０２  移動範囲規制部
９０１、９１１  表示領域
９１２、９１３  扇形の半径
Ｄ０１、Ｄ１  注目情報
Ｄ０２、Ｄ０３、Ｄ０４、Ｄ０５、Ｄ０６、Ｄ０７、Ｄ２、Ｄ３、Ｄ４  非注目情報
Ｐ  直線５１１と円１２２の交点
ｒ０１０２、ｒ０１０３、ｒ０１０７、ｒ１２、ｒ１３、ｒ１４  動径長
θ０２０３、θ０４０７、θ２３、θ２４、θ３４  中心角
【発明を実施するための形態】
【０００９】
＜第１の実施形態＞
次に、本発明の第１の実施形態について図面を参照して詳細に説明する。
図１は本実施形態に係る関係情報表示装置の構成を表す図である。
図１を参照すると、関係情報表示装置１は、関係情報生成部２と、表示情報生成部３と、表示領域移動部４と、表示制御部５とを含む。
関係情報生成部２は、あらかじめ入力された、関係情報を表示する対象である複数の情報のうち、あらかじめ１つだけ選択された注目情報と、他の全ての情報である非注目情報との間の関係強度を抽出する。そして、関係情報生成部２は、抽出された関係強度から、所定の計算法に基づき、注目情報と各非注目情報との間の距離を算出する。本実施形態の関係情報は、それぞれの非注目情報の、注目情報との間の関係強度の程度を表す距離である。
関係強度は、二つの情報の間の関係の強さを表す指標となる数値である。
図６は、情報Ｄ１〜Ｄ４の関係強度の例である。この例では、数値が大きいほど、関係する２つの情報間の関係強度が強いことを表している。また、関係強度が「０」である情報間には、関係が無いことを表す。なお、図６の例では関係強度を整数で表しているが、実数で表しても構わない。
関係強度から算出する距離は、非注目情報の、注目情報からの関係強度を近さとして表した指標である。
距離の計算は、あらかじめ注目情報として選択した一つの情報と、前記複数の情報のうち注目情報として選択されなかった情報である非注目情報全てとの間で行う。ただし、注目情報と関係が無く、関係強度が「０」である非注目情報の場合、距離は算出しない。距離の算出を行わなかった非注目情報は、後述の表示を行わない。
関係強度から距離を計算する計算方法は、例えば特許文献１に記載されているような、既存の方法を使用することができる。ただし、関係強度が強く関係強度を表す値が大きいほど、前記距離は小さく、関係強度が弱く関係強度を表す値が小さいほど、前記距離は大きくなるようにする。
表示情報生成部３は、関係情報制御部２が算出した距離のデータを受信し、所定の算出方法により、関係情報の表示を行う表示画面上における距離である表示距離を算出する。表示距離は、非注目情報を表す識別マークを表示する位置の表示画面上の原点からの距離である。識別マークについては後述する。原点は関係情報の表示を行う表示画面上の固定された一点で、注目情報の位置を表す。表示画面上の原点から非注目情報の位置までの距離である表示距離は、注目情報と非注目情報との間の関係強度の程度を表す。距離の大小関係は、距離から算出する表示距離においても保存されるものとする。すなわち、ある情報（情報１とする）の距離が、別の情報（情報２とする）の距離より大きい場合、情報１の距離から算出される表示距離は、情報２の距離から算出される表示距離よりも大きくなるものとする。
後述するように、表示の対象となる非注目情報は、関係情報生成部２が算出した距離の値が、あらかじめ設定した範囲（以下、表示範囲と呼ぶ）に含まれる非注目情報に限られる。また、ユーザの操作によって、表示範囲の最大値及び最小値は変化する。しかし、表示距離の計算方法は、表示範囲の最大値がいずれの値であっても、表示範囲の最大値から算出される表示距離の最大値は、あらかじめ設定した所定の値になるものとする。同様に、表示範囲の最小値がいずれの値であっても、表示範囲の最小値から算出される表示距離の最小値が、あらかじめ設定した所定の値になるものとする。このような表示距離の計算は、例えば、関係情報制御部２が算出した距離Ｌに対応する表示距離をＬｄとすると、Ｌｄと表示距離の最小値との差が、Ｌと表示範囲の最小値との差に比例するような比例計算によって行うことができる。
本実施形態の表示情報生成部３は、関係情報生成部２が算出した距離がどのような値であっても、表示距離の計算を行う。そして、後述する表示制御部５が、関係情報生成部２で算出したある非注目情報の距離が表示範囲に含まれない場合、該非注目情報の識別マークの表示を行わないようにする。しかし、ある非注目情報の距離が表示範囲に含まれない場合、表示情報生成部３は、表示距離の計算を行わないことにすることもできる。また、関係情報生成部２が算出する距離ではなく、表示情報生成部３が算出する表示距離が所定の範囲に含まれる場合のみ、後述の表示制御部５が表示を行う構成にすることもできる。
表示領域移動部４は、入力装置６を介したユーザの操作により、前記表示範囲の最大値及び最小値を同時に同じ値だけ増減する。以下、表示範囲の最大値及び最小値を同時に増減させることを、表示範囲の移動と表記する。また、表示範囲の最大値及び最小値を同時に減少させると、表示範囲は原点に近づく。また、表示範囲の最大値及び最小値を同時に増加させると、表示範囲は原点から遠ざかる。表示範囲の最大値及び最小値が同時に減少し、表示範囲を原点に近づく方向に移動することを、減少方向への移動と表記する。また、表示範囲の最大値及び最小値が同時に増加し、表示範囲を原点から遠ざかる方向に移動することを、増加方向への移動と表記する。
また、表示領域移動部４が表示範囲の移動を行うと、表示範囲内における非注目情報の位置が変化し、該非注目情報の表示距離も変化する。その結果、後述の表示領域上において、表示されている全ての非注目情報の位置が変化する。その結果、表示領域が移動しているように見える。
入力装置６は、十字キーのような方向を指示するキーを含む入力デバイスであればよい。入力装置６として、例えば、テレビなどのリモートコントローラや、携帯電話のキーや、コンピュータに接続されるキーボード等を使用することができる。入力装置６は、これらの例に限られるものではなく、他の入力装置であってもよい。ユーザは、表示範囲の移動方向の指示を、特定の方向に関連付けたキーを押下することによって行う。例えば、上方向キーの押下が、表示範囲の原点方向への移動の指示であるとする。また、下方向キーの押下が、表示範囲の原点から遠ざかる方向への移動の指示であるとする。
また、ユーザは、表示範囲の最大値及び最小値の増加量又は減少量の指示を、例えばキーの押下回数及びキーの押下時間によって行うことができる。例えば上方向キーが減少を、下方向キーが増加を指示するためのキーであるとする。この場合、ユーザが上方向キーを押下すると、表示領域移動部４は、表示範囲の最小値と最大値の両方を同時に、所定の値だけ減少させる。ユーザが下方向キーを押下すると、表示領域移動部４は、表示範囲の最小値と最大値の両方を同時に、所定の値だけ増加させる。また、ユーザによるキー押下が、キーの押下開始時又は前回の表示範囲の変更時から、所定の時間継続する毎に、表示範囲の最小値及び最大値を、所定の値ずつ増加又は減少させてもよい。
なお、表示範囲の最大値及び最小値の増減を指示するための操作は、方向キーの押下に限るものではない。前記操作は、表示範囲の最大値及び最小値を増加又は減少させる指示をできるものであれば、他の操作であってもよい。
表示制御部５は、出力装置に出力する表示画面上に、注目領域に対応する１点を固定して原点とし、表示画面に原点からの距離の指標となる図形を表示制御する。表示画面は、ディスプレイなどの出力装置７に表示する画面全体を指す。表示制御部５は、さらに、注目情報と関係があり、関係情報生成部２が算出した距離が前記表示範囲内に含まれる、全ての非注目情報に対応する識別マークを、原点からの距離が表示領域計算部４で計算した該非注目情報に対応する表示距離になる位置に表示する。識別マークを表示する位置は、原点からの距離が前述の表示距離である位置であればよく、原点に対する方向は任意の基準に従って決めればよい。表示制御部５は、注目情報と関係のある全ての非注目情報に対応する識別マークを、原点からの距離の指標となる図形に重畳して表示した、表示画面を出力装置７に出力する。出力装置７は、例えばディスプレイである。
距離の指標となる図形は、原点からの距離の目安が分かるようなものであればよい。距離の指標となる図形は、例えば、原点を中心とする一つ又は複数の円にすることができる。以下、識別マークが表示される可能性がある領域を表示領域と呼ぶことにする。距離の指標となる円は、表示領域内にだけ表示すれば十分である。また、円により、表示領域の範囲を示すこともできる。この場合、最外周の円の半径を、関係情報生成部２が算出した距離が前記表示範囲の最大値である場合の表示距離にする。また、最内周の円の半径を、関係情報生成部２が算出した距離が前記表示範囲の最小値である場合の表示距離にする。前記最外周の円と前記最内周の円で囲まれる領域が、表示領域である。さらに、表示領域内の色や明るさは、例えば表示距離に応じて連続的に変化させてもよい。また、距離の指標となる図形により区切られる複数の領域の内部を、それぞれ異なる色や、異なる明るさにしてもよい。
識別マークは、該識別マークに対応する非注目情報を特定することが可能な、文字、記号、図形や、それらを組み合わせたものである。識別マークとしては、例えば、矩形で囲んだ非注目情報の名称を表す文字列が挙げられる。以下、識別マークをアイコンとも表記することにする。
次に、本実施形態に係る関係情報表示装置の動作について、図面を参照して詳細に説明する。
図２は、本実施形態の関係情報表示装置１の動作を表すフローチャートである。
図２を参照すると、まず、関係情報生成部２が、一つの注目情報と、他の全ての非注目情報との間の関係強度から、注目情報と全ての非注目情報との間の関係強度の強さを表す距離を算出する（ステップＳ１）。情報間の関係強度は、あらかじめ入力しておく。注目情報は、関係情報を表示する対象となる複数の情報から、あらかじめ一つ選択した情報である。非注目情報は、関係情報を表示する対象となる複数の情報のうち、選択されなかった全ての情報である。距離の計算は、注目情報と全ての非注目情報との間で、それぞれ行う。ただし、関係情報生成部２は、注目情報との関係が無い非注目情報の距離は計算しない。
次に、表示情報生成部３は、ステップＳ２で算出した、注目情報とそれぞれの非注目情報との間の距離のデータを受信し、それぞれの非注目領域に対応する表示距離を算出する（ステップＳ２）。前述のように、表示距離は、情報間の関係強度を表示するための表示画面の原点に注目情報を配置した場合の、原点から非注目情報を表示する位置までの距離である。表示情報生成部３は、表示距離のデータを表示制御部５に出力する。
次に、表示制御部５は、表示距離のデータを受信し、原点を中心とした距離の指標を表す図形と、その図形に重畳して、それぞれの非注目情報の識別マークを、表示画面に表示するよう出力装置７を制御する（ステップＳ３）。非注目情報の識別マークを表示する位置は、原点と非注目情報の識別マークを表示する位置との距離が、ステップＳ３で算出した表示距離となる位置とする。
ユーザが、入力装置６を介して、表示範囲の変更を行った場合（ステップＳ４、Ｙ）、ステップＳ２の表示距離の算出に戻る。
表示範囲の変更の結果、前記位置が表示範囲に含まれなくなった非注目情報の識別マークは、表示制御部５の指示により、ステップＳ４、ＹからステップＳ２に戻った後のステップ３において、表示領域から消える。すなわち、関係情報表示装置１は、表示範囲から外れた非注目情報の識別マークを、表示領域から消滅させることになる。逆に、表示範囲の変更の結果、前記位置が表示範囲に含まれることになった非注目情報の識別マークは、表示制御部５の指示により、ステップＳ４、ＹからステップＳ２に戻った後のステップ３において、表示領域に現れる。
本実施形態の関係情報表示装置は、コンピュータと、該コンピュータを制御するためのプログラムとにより実現できる。
次に、本実施形態の効果について説明する。
本実施形態の関係情報表示装置は、表示情報生成部と表示制御部と表示領域移動部を構成に持ち、注目情報との間の関係強度から算出される距離が、ユーザの操作により変更可能な所定の範囲に含まれる、非注目情報の識別マークを表示する。このことにより、本実施形態には、関係強度の視覚化表現を表示するための表示画面の広さが限られている場合、その表示画面に、ユーザが指定した様々な表示範囲の情報を表示することができると言う効果がある。
また、本実施形態では、表示範囲を変更しても、注目情報に対応付けた基準となる位置を固定したまま、基準となる位置からの距離が、注目情報と非注目情報との間の関係強度に基づき算出した距離となる位置に、非注目情報の識別マークを表示する。このことにより、本実施形態には、表示される各情報の位置関係に対応付けられた関係強度を容易に把握することができると言う効果がある。
また、本実施形態では、非注目情報に対応付けた距離が所定の範囲に含まれない場合、該非注目情報の識別マークの表示は行わない。このことにより、本実施形態には、注目情報に対応付けた基準位置に近い位置に多数の識別マークが表示されることなく、簡潔な表示が可能になるという効果がある。
また、本実施形態では、表示範囲を変化させたい方向の指示をユーザが行うことによって、表示範囲の変化を行う。このことにより、本実施形態には、表示範囲の変化を簡単な操作によって行うことができるという効果がある。
＜第２の実施形態＞
次に、第２の実施形態について、図面を参照して詳細に説明する。
図３は、本実施形態の構成を表す図である。
図３を参照すると、本実施形態の関係情報表示装置１Ａは、関係情報生成部２Ａと、表示情報生成部３Ａと、表示領域移動部４と、表示制御部５Ａとを含む。表示領域移動部４は、第１の実施例の表示領域移動部４と同じなので、説明を省略する。以下、本実施形態と第１の実施形態との相違点を中心に説明を行う。
関係情報生成部２Ａは、第１の実施形態における関係情報生成部２と同様に、表示を行う複数の情報のうち、あらかじめ１つだけ選択された注目情報と、他の全ての情報である非注目情報との間の関係強度から、所定の計算法に基づき、注目情報と各非注目情報との間の距離を算出する。ただし、注目情報との関係の無い非注目情報の距離は算出しない。
関係情報生成部２Ａは、さらに、異なる２つの非注目情報の方向がなす角度が当該の非注目情報間の関係強度の程度を表すように、所定の方法により、それぞれの非注目情報の方向を決定する。非注目情報の方向は、原点を中心とした、該非注目情報の表示位置の方向を意味する。非注目情報の方向は、表示画面上の所定の方向を基準とした角度で表現できる。関係情報生成部２Ａは、それぞれの非注目情報の方向がなす角度を、例えば、０度から１８０度の範囲で、関係強度が大きいほど小さく、関係強度が小さいほど大きい角度にする。関係情報生成部２Ａは、角度の計算を、全ての非注目情報の組み合わせに対して行う。各非注目情報の方向は、それぞれの非注目情報の方向がなす角度が、対応する非注目情報間の関係強度に基づいたものであれば、任意である。従って、例えば最も注目情報との関係強度が大きい非注目情報の方向を最初に決め、最初に決めた方向に基づいて他の非注目情報の方向を決定するようにすればよい。ただし、注目情報との関係の無い非注目情報の方向は算出しない。
関係情報生成部２Ａは、算出した距離のデータと所定の方法により決定した非注目情報の方向を示すデータとを表示情報生成部３Ａに出力する。
本実施形態の関係情報は、それぞれの非注目情報と注目情報との間の関係強度の程度を表す距離と、非注目情報間の関係強度の程度を表示するための方向である。
表示情報生成部３Ａは、第１の実施形態の表示情報生成部３と同様にして、関係情報制御部２Ａが算出した距離から、関係情報の表示を行う表示画面上における距離である表示距離を算出する。
表示情報生成部３Ａは、関係情報生成部２Ａが算出した距離によらず表示情報は計算し、表示距離があらかじめ設定した表示範囲に含まれない場合、後述の表示制御部５Ａが表示を行わない構成にすることができる。あるいは、表示情報生成部３Ａは、関係情報生成部２Ａが算出した距離があらかじめ設定した表示範囲に含まれない場合、表示距離の計算は行わないことにしてもよい。
さらに、表示情報生成部３Ａは、算出した表示距離と、関係情報生成部２Ａが決定した方向に基づいて、それぞれの非注目情報の表示位置を決定し、その表示位置をデータとして表示制御部５Ａに出力する。該表示位置は、前記の表示距離及び方向により定まる極座標のデータにより表される。
表示制御部５Ａは、出力装置に表示する表示画面上に、注目領域に対応する１点を固定して原点とし、原点からの距離の指標となる原点を中心とする一つ又は複数の円を前記表示画面に表示する。前記一つ又は複数の円で区切られる表示画面上の部分領域は、例えば円の中心に近い領域ほど暗くするなど、部分領域毎に明るさを変えて表示してもよい。また、原点からの距離に応じて色を変えたり、部分領域毎に色を変えたりすることもできる。
表示制御部５Ａは、さらに、非注目情報に対応する識別マークを、前記の原点からの距離の指標となる図形に重畳して、表示画面上の、表示情報生成部３Ａが計算した前記非注目情報の表示位置に表示する。表示制御部５Ａが識別マークを表示する非注目情報は、注目情報と関係があり、関係情報生成部２Ａが算出した距離が前記表示範囲内に含まれる全ての非注目情報である。表示制御部５Ａは、距離の指標となる図形及び識別マークの表示を行った表示画面を、出力装置７に出力する。
距離の指標となる図形は、例えば、表示画面における原点からの距離の目安となる、原点を中心とする一つ又は複数の円にすることができる。距離の指標となる円は、表示領域内にだけ表示すれば十分である。また、円により、表示領域の範囲を示すこともできる。この場合、最外周の円の半径を、表示情報生成部３が算出した距離が前記表示範囲の最大値である場合の表示距離にする。また、最内周の円の半径を、表示情報生成部３が算出した距離が前記表示範囲の最小値である場合の表示距離にする。前記最外周の円と前記最内周の円で囲まれる領域が、表示領域である。表示制御部５Ａが表示する非注目情報の識別マークの位置は、表示画面内の表示領域に含まれる。
また、表示領域内の色や明るさは、例えば表示距離に応じて連続的に変化させてもよい。また、距離の指標となる図形により区切られる複数の領域の内部を、それぞれ異なる色や、異なる明るさにしてもよい。
識別マークは、例えば、対応する非注目情報を特定するための文字列や記号等を矩形で囲んだものである。識別マークのサイズは、原点から識別マークまでの表示距離に応じて変化させることができる。表示距離に応じた識別マークの縮小を行う場合、例えば、あらかじめ原点からの表示距離に応じた表示倍率を決めておき、表示制御部５Ａが、識別マークの表示位置と原点との距離に応じた表示倍率で識別マークを縮小して表示すればよい。
表示する識別マークの大きさを決めるための表示倍率の値は、例えば、表示領域の最外周では１に、最外周より内側では、原点からの表示距離に比例した値にすることができる。また、例えば、表示領域の最外周と最内周の間に含まれる所定の円より外側の領域では表示倍率を１に、前記所定の円より内側の領域では、表示倍率を原点からの表示距離に比例した値にすることができる。さらに、原点からの距離と表示倍率の関係を表す特性曲線をあらかじめ決めておき、識別マークの表示位置から、前記特性曲線に基づき、表示倍率を求めてもよい。また、前記特性曲線は、曲線ではなく、折線で表されるものであってもよい。
図１２は距離と表示倍率の関係を表す特性曲線の例である。図１２に記載されている動径は前記の表示距離に相当する。また、表示倍率を掛ける前の表示距離の最大値がＲ、最小値がｒＴＨに相当する。
また、識別マークの背景の色や明るさは、原点から識別マークまでの距離に応じて変更することもできる。例えば、識別マークの背景は、識別マークが位置する前記部分領域と同じ明るさや色にしてもよい。なお、識別マークの背景とは、識別マークのうち、識別マークが対応する情報を特定するための文字列又は記号等以外の領域のことである。以下、「識別マークの明るさ」は、識別マークの背景の明るさを意味する。また、「識別マークの色」は、識別マークの背景の色を意味する。
図７、図８、図９は、図６に示す情報Ｄ１〜Ｄ４の、情報Ｄ１を注目情報とした関係強度を、原点から離れる方向に表示範囲を順次変化させて表示した表示例である。
図７では、情報Ｄ２の識別マーク１３１２のみが表示画面内に現れている。また、距離の指標を示す複数の円で区切られた部分領域は、円の中心に近い領域ほど暗くなっている。
図８は、表示範囲を原点から離れる方向に変化させた表示例である。情報Ｄ２の識別マークは円の中心に近い位置に移動し、情報Ｄ３の識別マークが表示画面内に現れている。情報Ｄ３は、情報Ｄ１との間の関係強度が情報Ｄ２との間の関係強度より小さい。図７、図８、図９の表示例は、識別マークの位置が円１２２内の白い領域より内側にある場合、円の中心からの距離に比例した値の表示倍率で識別マークを縮小して表示したものである。また、これらの図では、識別マークの位置が円１２２内の白い領域内にある場合の識別マークの表示倍率は１である。
図９は、表示領域を原点から離れる方向に更に変化させた表示例である。情報Ｄ３の識別マーク円の中心近くの位置に移動し、情報Ｄ４の識別マークが表示画面内に現れている。情報Ｄ４は、情報Ｄ１との間の関係強度が情報Ｄ３との間の関係強度より小さい。
次に、本実施形態の動作について、図面を参照して説明する。
本実施形態の動作は、図２に示す第１の実施形態の動作とは、少し違うが、説明の都合上、図２を用いて説明する。
図２を参照すると、まず、関係情報生成部２Ａは関係情報の生成を行う（ステップＳ１）。本実施形態の関係情報は、それぞれの非注目情報と注目情報との間の関係強度の程度を表す距離のデータと、非注目情報間の関係強度の程度を表す方向を示すデータである。
次に、表示情報生成部３Ａは、ステップＳ１で算出したそれぞれの非注目情報の距離から、あらかじめ設定された表示範囲をもとに、原点からそれぞれの非注目情報の識別マークを表示する位置までの距離である表示距離を算出し、表示制御部５Ａに出力する（ステップＳ２）。ステップＳ２で算出した表示距離と、ステップＳ１で決定した方向とにより、それぞれの識別マークを表示する位置の表示画面上の座標が決まる。
次に、表示制御部５Ａは、算出された表示距離に基づいて、原点との距離の指標となる円と、それぞれの非注目情報の識別マークとを、表示画面に表示するよう出力装置７を制御する（ステップＳ３）。ただし、識別マークを表示する非注目情報は、ステップＳ１で計算した距離が表示範囲に含まれるものに限る。円の中心は、表示画面上の一点に定めた原点である。また、識別マークを表示する位置は、ステップＳ２で算出した座標の位置である。表示制御部５Ａは、表示画面の情報を出力装置７に出力する。
ユーザが入力装置６を介して表示範囲の変更を行った場合（ステップＳ４、Ｙ）、ステップＳ２に戻る。
次に、本実施形態の効果について説明する。本実施形態には、第１の実施形態の効果に加え、次のような効果がある。
本実施形態の関係情報表示装置は、関係情報生成部と表示情報生成部を含み、それぞれの非注目情報間の関係強度から、２つの非注目情報の識別マークを表示する方向の角度を算出する。算出した角度により、注目情報に対応付けた原点を中心として、どの方向にそれぞれの非注目情報の識別マークを表示するかを決定する。そのことにより、本実施形態には、注目情報と非注目情報との間の関係強度に加え、非注目情報間の関係強度を表示できると言う効果がある。
＜第３の実施形態＞
次に本発明の第３の実施形態を説明する。
図４は、本実施形態による関係情報表示装置の構成の概要を表したものである。本実施形態の関係情報表示装置１００は、ＣＰＵ（Ｃｅｎｔｒａｌ  Ｐｒｏｃｅｓｓｉｎｇ  Ｕｎｉｔ）１０１と、所定の制御プログラムを少なくともその一部に格納したメモリ１０２とを備える主制御部１０３を有している。主制御部１０３は、装置内の入出力装置１０４、情報配置部１０５、凹面表現部１０６、表示領域移動部１０７および情報縮小部１０８を制御するようになっている。また、主制御部１０３は、ＣＰＵ１０１が制御プログラムを実行することで、装置内のこれら各部のうちの少なくとも一部をソフトウェア的に実現することが可能である。
ここで、入出力装置１０４は、リモートコントローラやキースイッチを配置したキーパネル等のユーザの操作情報を入力する入力デバイスと、視覚的な表示デバイスとで構成されている。本実施の形態では、操作情報を入力する入力デバイスとして、上方向および下方向を指示する上下キー１１１が備えられている。また、表示デバイスとして液晶ディスプレイ１１２が備えられている。液晶ディスプレイ１１２は、有機ＥＬ（ｏｒｇａｎｉｃ  ｅｌｅｃｔｒｏｌｕｍｉｎｅｓｃｅｎｃｅ）ディスプレイのような他のディスプレイであってもよい。
情報配置部１０５は、入力された情報間の関係強度から非注目情報の座標を計算し、計算値をもとに極座標平面上に各種の情報を配置する。具体的には、情報配置部１０５は、注目情報の位置を、極座標系の中心（原点）にする。また、情報配置部１０５は、注目情報と非注目情報の間の関係の強さを表す度合いとしての関係強度から、所定の計算法により計算した動径が、注目情報と非注目情報との距離になるように各非注目情報を配置する。ここで「動径」とは、平面上の点が極座標によって表されるときの、その点と極座標の原点との長さをいう。動径は、第１及び第２の実施形態との関連において、関係情報生成部２又は関係情報生成部２Ａが算出する「距離」に相当する。
情報配置部１０５は、非注目情報が複数存在する場合、非注目情報間の関係強度をもとに、当該の非注目情報の表示位置と原点をそれぞれ結ぶ直線がなす角度を決めることで、原点を中心とした非注目情報の配置方向を決定する。関係強度からの角度の決定は、既存の任意の方法で行えばよい。この角度を本明細書では中心角と称することにする。注目情報および非注目情報の位置関係を表すための表示形態は、ユーザが判別可能であればいかなる表示形態であっても構わない。たとえば、それぞれの情報の配置位置に、注目情報等の情報を特定する文字、図形、アイコンあるいは縮小画像としてのサムネイル（ｔｈｕｍｂｎａｉｌ）等の識別マークを表示することで、それぞれの情報の位置関係を表すことができる。本実施形態では、文字、図形、アイコンやサムネイルなどの、情報を特定するための識別マークを総称してアイコンと称することにする。アイコンは、第１及び第２の実施形態における「識別マーク」に相当する。
凹面表現部１０６は、入出力装置１０４を構成する図示しない表示画面上に極座標平面の原点を中心とした円を描画し、この円の内部を注目情報および非注目情報の表示領域とする。更に、原点から既定長の動径内の領域には、中心に近いほど明度を低くするグラデーション（ｇｒａｄａｔｉｏｎ）による表示を施して、原点に向けて奥行きが増す表現形式を採用する。グラデーションは、段階的な濃淡変化を表す階調表現を採用してもよいし、連続的な濃淡変化を表した階調表現を採用してもよい。
表示領域移動部１０７は、入出力装置１０４を介したユーザからの指示に基づき、情報空間において、表示の対象となる表示範囲を移動させる。情報空間の、表示範囲に含まれている領域に存在する情報が、表示の対象である。表示範囲は、原点からの距離が一定幅の範囲に含まれる、情報空間上のリング状の領域とする。表示範囲の移動は、表示範囲の最内周の原点からの距離と最外周の原点からの距離との差が、常にあらかじめ定めた一定の値となるように、原点から表示範囲の最内周及び最外周までの距離を増減させることである。表示範囲が移動して別の領域に移ると、表示範囲内における情報の相対位置の変化や、表示範囲に含まれる情報の入れ替わりが生じる。従って、液晶ディスプレイ１１２に表示されるアイコンの位置の変化や入れ替わりが生じる。
入出力装置１０４は上下キー１１１を含む。上下キー１１１は、上方向キー及び下方向キーを含む。ユーザは、表示範囲の移動方向の指示を、特定の方向に関連付けたキーを押下することによって行う。例えば、上方向キーの押下が、表示範囲の原点方向への移動の指示であるとする。また、下方向キーの押下が、表示範囲の原点から遠ざかる方向への移動の指示であるとする。また、ユーザは、移動距離の指示を、例えばキーの押下回数及びキーの押下時間によって行うことができる。この場合、キーが１回押下されるたびに、表示範囲は所定の距離だけ移動するものとする。また、キーの押下の開始又は前回の移動から、所定の時間が経過する毎に、表示範囲は所定の距離だけ移動するものとする。移動量の指示は、量又は数を指示できる方法であれば他の方法によっても行うことができる。以下、移動距離の指示を行うための、キーの押下回数やキーの押下時間などのキーの操作量を、キーの押下量と呼ぶ。
例えば、表示範囲の動径方向外側への移動を、ユーザが継続して指示した場合、表示範囲は、当初情報空間における位置が表示範囲より動径方向外側にあった情報を、内部に含む位置に移動する。さらに表示範囲の動径方向外側への移動の指示が継続すると、表示範囲は、前記情報の位置より動径方向外側に移動する。
詳細は後述するが、表示範囲が前述のように情報空間におけるある情報の表示位置の動径方向内側から外側に向かって移動した場合、液晶ディスプレイ１１２に表示される前記情報のアイコンは、以下のように移動する。
情報空間において、前記情報が表示範囲より外側に位置する時、液晶ディスプレイ１１２には前記情報のアイコンは表示されない。情報空間において、前記情報の位置が表示範囲の最外周部になる位置に、表示範囲が移動すると、前記情報のアイコンが液晶ディスプレイ１１２に表示される表示領域の最外周部に現れる。表示範囲が、前記情報の位置を内部に含んだ状態で動径方向外側に移動すると、前記情報のアイコンは、液晶ディスプレイ１１２に表示される表示領域の外周部から内側に向かって移動する。情報空間において、前記情報の位置が表示範囲の最内周になる位置に、表示範囲が移動すると、前記情報の識別マークは、液晶ディスプレイ１１２に表示される表示領域の最内周に移動する。情報空間において、表示範囲が前記情報の位置より外側に移動すると、前記情報の識別マークは、液晶ディスプレイ１１２に表示される表示領域に表示されなくなる。
表示領域移動部１０７が、情報空間における表示範囲を動径方向外側に移動させることにより、表示領域に表示されるアイコンを中心に向かう方向に移動させることを、表示領域を動径方向外側に移動させると表記する。また、情報空間における表示範囲を動径方向内側に移動させることにより、表示領域に表示されるアイコンを中心から遠ざかる方向に移動させることを、表示領域を動径方向内側に移動させると表記する。
以上記載した表示範囲の移動は、所定の距離毎に順次行われるので、液晶ディスプレイ１１２の表示領域における識別マークの位置も、表示範囲の移動量に応じた距離ずつ順次移動する。従って、表示範囲が動径方向内側から外側に向かって移動した場合、液晶ディスプレイ１１２の表示領域の識別マークは、外側から原点方向に向かって移動し、原点から所定の距離の場所で消えるように見える。以下、キー操作によって情報空間において表示範囲を移動させることで、液晶ディスプレイ１１２に表示されている表示領域内で、表示されている識別マークを移動させることを、「表示領域を移動させる」と表記することにする。また、キー操作により、表示されている識別マークを原点から離れる方向に移動させることを、表示領域を動径方向の外側に移動させると表記する。同様に、キー操作により、表示されている識別マークを原点に近づく方向に移動させることを、表示領域を動径方向の内側に移動させると表記する。
情報縮小部１０８は、表示領域に配置されている情報について、動径方向内側に位置するものほど単位面積が小さく表示されるような縮小表示を行う。このとき、表示領域の動径方向内側の境界に配置された情報の縮小率を最大とする。動径方向外側の境界に配置された情報は縮小しないものとする。なお、表示領域の動径方向内側とは、表示領域の原点に近い側のことを意味する。また、表示領域の動径方向外側とは、表示領域の原点に遠い側のことを意味する。
本実施の形態の関係情報表示装置１００は、以上のような構成をとることにより、表示範囲が原点から遠ざかる方向に移動した場合、表示領域内の非注目情報のアイコンが、周辺部から動径方向内側へ縮小しながら移動する表示を行う。そして、関係情報表示装置１００は、原点までの距離が一定値を下回ったアイコンを表示しないことで、表示領域の中心付近に集まって溢れた非注目情報のアイコンが画面奥へ落ちていくように消滅する表現を実現する。同様に、表示範囲が原点に近づく方向に移動した場合、表示領域内の非注目情報のアイコンが、周辺部から動径方向外側へ拡大しながら移動する表示を行う。これにより、ユーザの操作する上下キー１１１の方向と、液晶ディスプレイ１１２における表示領域の変更（移動）に伴う各アイコンの配置状態の変化を示す移動方向が視覚的に一致する。したがって、ユーザは表示領域の変化を特に意識することなく、情報空間の全領域を対象に探索を行って注目情報や非注目情報の関係強度を容易に把握することができることになる。
図５は、本実施の形態で表示の対象となる情報空間の全領域の一例を示したものである。情報空間には、注目すべき特定の情報としての注目情報Ｄ１と、これ以外の情報として比較の対象となる非注目情報Ｄ２〜Ｄ４が関係強度に応じて極座標系で配置されている。この例では、注目情報Ｄ１が極座標系における原点Ｏに配置されている。動径長ｒ１２〜ｒ１４は、それぞれ、注目情報Ｄ１と非注目情報Ｄ２〜Ｄ４との間の関係強度を表す。動径長は、長さが短いほど、対応する非注目情報の注目情報との間の関係強度が強いことを表している。また、非注目情報Ｄ２〜Ｄ４相互の関係強度は、これらの中心角θ２３、θ２４、θ３４により近似的に表現されている。中心角は、角度が小さいほど、対応する２つの非注目情報の関係強度が強いことを表す。
非注目情報間の関係強度を、非注目情報の円周方向の配置によって表すことにより、注目情報と非注目情報との間の関係強度と非注目情報間の関係強度を、同時に表示することができる。また、中心角の最大角度は、１８０度とする。したがって、たとえば非注目情報Ｄ２と非注目情報Ｄ３のなす角度は、図５に示したように中心角θ２３であり、３６０度から中心角θ２３を差し引いた１８０度よりも大きな角度の方ではない。
図６は、図５に示した表示例における情報Ｄ１〜Ｄ４の関係強度を表したものである。関係強度を表す数値は、値が大きいほど関係強度が強いことを表す。この関係強度の説明図は、各情報Ｄ１〜Ｄ４間の関係強度をマトリックス状に配置したものである。それぞれの要素の数値は、その要素の行及び列に対応する２つの情報の関係強度を表す。たとえば、注目情報Ｄ１と非注目情報Ｄ２の関係強度を表す数値は「４」である。また、非注目情報Ｄ２と非注目情報Ｄ４の関係強度を表す数値は「０」である。図６では、これら各情報Ｄ１〜Ｄ４の関係強度を表す数値は整数であるが、必ずしも整数である必要はない。これらの関係情報は、すべての実数値を用いて表示可能である。
ところで、図６に示した例では、注目情報Ｄ１に対する非注目情報Ｄ２〜Ｄ４の関係強度が数値「４」、「３」および「２」の３つの整数のいずれかで表されている。この例の場合、注目情報Ｄ１に対する非注目情報Ｄ２〜Ｄ４の関係強度は、３段階の距離で表現することができる。
図５を見ると、注目情報Ｄ１と非注目情報Ｄ２の距離である動径長ｒ１２は、その他の動径長ｒ１３、ｒ１４のいずれよりも短い。これは、注目情報Ｄ１と非注目情報Ｄ２の関係強度が、注目情報Ｄ１と他の非注目情報Ｄ３、Ｄ４の関係強度のいずれよりも高いことを示している。
また、図５を見ると、動径長ｒ１３が動径長ｒ１２の次に短いことから、注目情報Ｄ１と非注目情報Ｄ３の関係強度が２番目に高いことが分かる。更に、図５の中で動径長ｒ１４が最も長いので、注目情報Ｄ１と非注目情報Ｄ４の関係強度がこれら３種類の非注目情報Ｄ２〜Ｄ４と注目情報Ｄ１の関係で最も弱いことが分かる。ここでは動径長が整数値をとって段階的に変化する場合を説明したが、すでに説明しように動径長は整数値に限らない。したがって、動径長や関係強度を連続値で表現することもできる。
次に図５及び図６における非注目情報Ｄ２〜Ｄ４相互の関係強度について説明する。前述のように、２つの非注目情報の関係強度は、当該の２つの非注目情報の位置と原点がなす中心角で表される。また、関係強度が強く関係強度を表す数値が大きいほど、中心角は小さくなる。図６に示した例では、非注目情報Ｄ２と非注目情報Ｄ３の関係強度を表す数値は、最も大きい「４」である。このため、図５に示したように非注目情報Ｄ２と非注目情報Ｄ３のなす中心角θ２３が最も小さくなるように非注目情報Ｄ２と非注目情報Ｄ３が配置されている。また、非注目情報Ｄ２と非注目情報Ｄ４の間および非注目情報Ｄ３と非注目情報Ｄ４の間の関係強度を表す値は共に「０」である。このため、非注目情報Ｄ２と非注目情報Ｄ４のなす中心角θ２４と、非注目情報Ｄ３と非注目情報Ｄ４のなす中心角θ３４がなるべく１８０度に近い大きい角度となるように、非注目情報Ｄ２、Ｄ３、Ｄ４が配置されている。
図７、図８、図９は、図５に示した情報空間に含まれる非注目情報を、表示範囲を移動させながら画面に順次表示する一例を示したものである。このうち、図７は、図４に示した関係情報表示装置１００の液晶ディスプレイ１１２に、初期状態で表示されている画面を表す。表示画面１２１には、円１２２が描画されている。円１２２はその中心に近づくほど地色部分の明度を低くしたグラデーション表示（階調表示）となっている。図７〜図９では、グラデーション表示を４段階の階調で表現しているが、たとえば円１２２の周辺部分から中心方向に向けて明度が連続的に低くなるグラデーション表示を実現してもよい。
本実施形態では、円１２２の内部の色や、アイコン内部で、アイコンに対応する情報を特定するための文字等以外の領域である背景色の色は、明度のみによって表すことができる白、黒、又はいずれかの明度のグレー（無彩色）であるとして説明する。しかし、前述の円１２２の内部の色やアイコンの背景色は、必ずしも無彩色である必要はない。なお、図７〜図９等の図では、黒い領域の密度によって明度を表現する。
図７は、情報空間全体のうちの一部の領域に含まれる情報に対応したアイコンを、円１２２内に表示したものである。図７に示す状態を初期状態とする。ここでは、図５に示した非注目情報Ｄ２、Ｄ３、Ｄ４のうちの非注目情報Ｄ２の位置のみが、円１２２の内部に矩形状のアイコン１３１２により表示されている。また、アイコン１３１２の背景色は円１２２の周辺部と同一の最も明るい色（たとえば白色）である。アイコン１３１２の内部には、アイコン１３１２が非注目情報Ｄ２に対応することを示す「Ｄ２」という文字が、背景色と異なる明度または色で表示されている。
図７に示す初期状態では、図５における他の非注目情報Ｄ３、Ｄ４のアイコンは、円１２２の内部に表示されていない。したがって、ユーザはこの初期状態の表示では、これら非注目情報Ｄ３、Ｄ４に関係する情報を知ることができない。
ユーザは、非注目情報Ｄ３、Ｄ４に関係する情報を知るために、図４に示した入出力装置１０４に備えられた上下キー１１１を操作して、表示画面１２１内における表示領域を移動させる。ここで、上下キー１１１を構成する上キーは、動径方向の内側、すなわち円１２２の中心側に表示領域を移動する指示を行うキーであり、下キーは動径方向の外側、すなわち円１２２の中心側から離れる方向に表示領域を移動する指示を行うキーである。
ユーザが図７に示した初期状態から下キーを所定量だけ押下すると、図８に示した表示状態となる。この状態では、下キーの押下量だけ円１２２内の表示領域が動径方向外側に移動する。この結果、非注目情報Ｄ２を表すアイコン１３１２が円１２２の中心方向に相対的に移動する。また、円１２２の表示領域外に存在していた非注目情報Ｄ３を表したアイコン１３１３が円１２２内に現われる。ここで非注目情報Ｄ２を表すアイコン１３１２は原点近傍に近づくため、図４に示した情報縮小部１０８によって縮小表示されている。アイコン１３１３の形状は、アイコン１３１２と同様に矩形である。また、アイコン１３１３の背景色は円１２２の周辺部と同一の最も明るい色（たとえば白色）である。アイコン１３１３の内部には、アイコン１３１３が非注目情報Ｄ３に対応することを示す「Ｄ３」という文字が、背景色と異なる明度または色で表示されている。
ユーザが図８に示した表示状態から更に下キーを押下したとする。すると、下キーの押下量だけ表示領域が動径方向外側に更に移動する。この結果として、円１２２の表示領域外に存在していた非注目情報Ｄ４を表すアイコン１３１４が円１２２内に現われる。これと共に、図８で円１２２の中程まで移動してきていた非注目情報Ｄ３を表すアイコン１３１３が、原点方向に更に移動して、情報縮小部１０８によって縮小表示される。アイコン１３１４も他のアイコン１３１２、１３１３と同様に矩形形状をしている。また、アイコン１３１４の背景色は、円１２２の周辺部と同一の最も明るい色（たとえば白色）である。アイコン１３１４の内部には、アイコン１３１４が非注目情報Ｄ４に対応することを示す「Ｄ４」という文字が、背景色と異なる明度または色で表示されている。
一方、図８で縮小表示されていた非注目情報Ｄ２を表したアイコン１３１２は、更に原点方向に近づき、遂には表示領域から外れてしまう。この結果、図９では非注目情報Ｄ２のアイコン１３１２は、表示されなくなる。ユーザが更に下キーを押し続ければ、非注目情報Ｄ３と非注目情報Ｄ４のアイコン１３１３、１３１４も原点方向に更に移動する。そして、図示していないが、ある時点で、原点に近い非注目情報Ｄ３のアイコン１３１３が、非注目情報Ｄ４のアイコン１３１４よりも先に、表示されなくなる。
上下キー１１１を用いた以上のような表示操作は可逆的に行われる。したがって、ユーザが下キーの代わりに上キーを操作すれば、図９の表示状態から図８の表示状態に戻り、更に図７の表示状態に戻ることになる。このように上キーを操作することで、たとえば図９に縮小されて表示された非注目情報Ｄ３のアイコン１３１３は情報縮小部１０８によるサイズの縮小の度合いが弱くなり、図８に示すように元の大きさに戻っていく。そして、更に上キーを操作すると、図７に示すように非注目情報Ｄ３のアイコン１３１３が円１２２の外の非表示領域に出て行き、円１２２の内部に表示されなくなる。
図１０は、本実施の形態でユーザが表示の対象とする情報を入力してからその初期表示が行われるまでの処理を表したものである。
まず、関係情報表示装置１００の入出力装置１０４は、視覚化対象の情報を入力する（ステップＳ２０１）。これは、視覚化の対象となる複数の情報と、これらの情報の関係強度を表すデータからなる。このような情報の入力は、図示しないキーボード等の入力デバイスからユーザの操作によって行われてもよいし、図示しない通信ネットワークを介してこのような情報が関係情報表示装置１００に送られてきてもよい。また、図示しない記憶媒体からこのような情報を入出力装置１０４が読み取ってもよい。
視覚化対象の情報が入力されたら、入出力装置１０４の液晶ディスプレイ１１２に注目情報を指定する指示が表示される。ユーザはこれを基にして、複数の情報の中から注目情報を指定する（ステップＳ２０２）。視覚化対象の情報のうち、指定した注目情報以外の情報が、非注目情報となる。注目情報を指定するのではなく、注目情報の代わりに非注目情報を指定してもよいし、注目情報と非注目情報の双方を指定してもよい。
各種の情報とこれらの情報の関係強度を表すデータ、ならびに注目情報と非注目情報を区分けする情報が揃ったら、情報配置部１０５は、図６に示す各情報Ｄ１〜Ｄ４の関係強度表した関係強度説明図に相当する、関係強度情報を生成する（ステップＳ２０３）。ただし、ステップＳ２０１で入力された情報がすでに作成された関係強度情報を表す情報であった場合には、ステップＳ２０２およびステップＳ２０３の処理は省略する。いずれにしても、情報配置部１０５は、関係強度情報を図示しない記憶領域に記憶する（ステップＳ２０４）。
凹面表現部１０６は、この記憶領域に記憶された関係強度情報を用いて、図５に示すような極座標平面に情報空間の全領域を描いた情報を、図示しない記憶領域上に記憶する（ステップＳ２０５）。このとき、注目情報Ｄ１は円の中心（原点）に配置し、非注目情報Ｄ２〜Ｄ４は動径長ｒ１２〜ｒ１４と中心角θ２３、θ２４、θ３４を用いて描画したような内容で記憶する。この描画内容の全体は液晶ディスプレイ１１２に表示されるものでない。
凹面表現部１０６は、次に説明する画面設定情報に基づいて、この記憶した描画内容の一部から実際に表示される画像を生成して、入出力装置１０４を構成する液晶ディスプレイ１１２にその内容を出力する（ステップＳ２０６）。この画像が図７に示すものとなる。液晶ディスプレイに表示する画像においても、注目情報に対応する位置は円の中心（原点）とする。また、非注目情報のアイコンは、対応する非注目情報の動径長に応じて縮小表示される。アイコンの表示位置が中心近くとなって表示領域から外れる場合、凹面表現部１０６はそのアイコンを表示しない。ステップＳ２０６で、図１０に示す初期表示処理は終了する。関係情報表示装置１００は、ステップＳ２０６終了時の表示状態で、ユーザによる上下キー１１１の操作を待つ。
図１１は、ステップＳ２０６で説明した画面設定情報の設定の様子を表した例である。ユーザは、画面設定情報が未設定であるか、あるいは各種の情報の関係強度を視覚的に表す条件を変更したい場合、画面設定情報の設定あるいは更新を行う。
関係情報表示装置１００が液晶ディスプレイ１１２にメニュー画面を表示した状態で（ステップＳ２２１）、ユーザが表示された項目の中から「画面設定・更新モード」を選択した場合（ステップＳ２２２：Ｙ）、ユーザは画面設定情報の設定を行うことができる。なお、ユーザがメニュー画面から他の項目を選択した場合には（ステップＳ２２２：Ｎ、ステップＳ２２３：Ｙ）、関係情報表示装置１００は、ユーザが選択した項目に対応した動作を行う。
ステップＳ２２２でユーザが「画面設定・更新モード」を選択した場合には（ステップＳ２２２、Ｙ）、関係情報表示装置１００は、液晶ディスプレイ１１２に現在の設定内容が表示すると共に、入出力装置１０４を用いた画面設定情報の変更を受け付ける（ステップＳ２２４）。関係情報表示装置１００は、液晶ディスプレイ１１２に、図示しない設定内容を登録して終了するボタンや、設定内容をデフォルト値に戻すボタンも表示する。ユーザは、入出力装置１０４を介して、次の項目について内容を変更することができる。
（１）円１２２内におけるグラデーション表示の領域の割合と明度表示内容：
ユーザは、円１２２の外周近傍で最も明度が高い領域と、明度がこれより下がる中心に近い領域の２つの領域の割合の設定を行うことができる。ユーザは、円１２２内の最も明度が高い領域と、明度がこれより下がるグラデーション表示の領域との境界位置を、境界の動径を指定することにより任意に設定することができる。また、あらかじめ定めたデフォルト値に設定することもできる。また、ユーザは、円１２２内の明度変化が段階的であるか連続的であるかの選択を行うことができる。明度を段階的に変化させる場合、あらかじめ用意した複数の色から、明度の段階に応じた色を選択することが可能である。明度が低下したグラデーション表示の領域が多くなりすぎると視認性が低下する。この一方で、グラデーション表示の領域が少なくなりすぎると情報が円１２２の中心に向けて落ちていく表現が分かりにくくなる。図７〜図９で示した例では、グラデーション表示の領域は動径にして、円形領域の３分の１程度としている。
（２）円１２２内における情報を表示する表示用のアイコンの縮小および消去される位置：
ある動径長よりも原点に近い位置にあるアイコンを縮小し、それ以外のアイコンは縮小しないで表示する場合、ユーザは、その縮小開始位置を、動径を指定することで設定することができる。例として、円１２２の半径の２分の１の動径をアイコンの縮小開始位置とする。この場合、表示の対象となるアイコンの動径が、円１２２の半径の２分の１よりも長いときにはアイコンの縮小表示は行われない。また、表示の対象となるアイコンの動径が円１２２の半径の２分の１より短いときには、その長さに応じた表示倍率でアイコンが表示される。また、ユーザは縮小開始位置を定めることなく、アイコンが動径に応じて縮小される際の縮小率を表した特定曲線を指定することもできる。これについては後に説明する。また、ユーザは、円１２２の中心から表示領域の最内周までの距離ｒＴＨを指定することができる。アイコンが表示画面内を円１２２の中心に向かって移動する場合、アイコンの動径がｒＴＨを下回ると、アイコンは表示されなくなり、消去されたように見える。なお、関係情報の表示は、上下キー１１１の操作によって可逆性を持つ。このため、縮小開始位置および消去位置の設定を行うときで、上キーの操作を行う場合には同じ位置が縮小されたアイコンの拡大を停止する位置になったり、消去されたアイコンが再び円１２２内に表示される位置になったりする。
図１２は、アイコンの表示倍率と動径との関係を表した特性曲線の一例を示したものである。ここに示した特性曲線では、図７〜図９に示した円１２２の半径をＲとするとき、アイコン（図７〜図９参照）の表示倍率を１（等倍）としている。そして、動径が円１２２の中心に近付くほど縮小する度合いが大きくなり、ある程度中心に近づいた時点で急激に表示倍率が減少するようになっている。アイコンの表示倍率がある程度小さくなると、その識別が難しくなる。また、複数の非注目情報のアイコンが中心付近の狭い領域で重なり合うために、アイコンの識別が難しくなる可能性もある。そこで、動径が所定の値ｒＴＨを下回る場合、アイコンを表示しないことにする。
図１１に戻って説明を続ける。ユーザは、液晶ディスプレイ１１２に表示されている設定内容を必要により適宜修正して設定内容を登録し、設定終了のボタンを押す（ステップＳ２２５：Ｙ）。設定終了のボタンが押されると、関係情報表示装置１００は、凹面表現部１０６の図示しない記憶部に格納された画面表示設定情報が修正後の内容で上書きして（ステップＳ２２６）、設定の処理が終了する（エンド）。
これに対して、ユーザがデフォルト値に戻すボタンを押下した場合（ステップＳ２２７：Ｙ）、関係情報表示装置１００は、メモリ１０２に格納されているデフォルト値を読み出し、凹面表現部１０６の前記した記憶部に上書きして（ステップＳ２２８）、ステップＳ２２４に戻る。
図１３は、液晶ディスプレイに各情報の関係強度が初期的に表示された後におけるキーの押下による表示制御の変化の様子を表したものである。図４および図７〜図９と共に説明する。
液晶ディスプレイ１１２には、初期状態で図７に示す表示が行われている。この状態で関係情報表示装置１００の表示領域移動部１０７は、上下キー１１１の下キーの押下（ステップＳ２４１）と、上キーの押下（ステップＳ２４２）を監視している。ユーザが上下キー１１１の下キーを押下した場合（ステップＳ２４１：Ｙ）、表示領域移動部１０７は、液晶ディスプレイ１１２に表示された円１２２内の表示領域を、単位量だけ動径方向の外側に移動して、円１２２とグラデーション表示を描画する（ステップＳ２４３）。
表示領域の移動が行われたら、表示領域移動部１０７は移動後の領域に対応するように非注目情報のアイコンを配置（移動）する（ステップＳ２４４）。たとえば、上下キー１１１の下キーの押下が所定量だけ繰り返された結果として、ある時点で図８に示すように領域が移動したとする。図８の状態における非注目情報Ｄ２の表示位置は、図７における非注目情報Ｄ２の表示位置と比較して、円１２２の中心方向に移動している。そこで、この移動後の位置に非注目情報Ｄ２のアイコン１３１２を配置（移動）する。また、非注目情報Ｄ３のアイコン１３１３のように円１２２に新たに現われるものがあれば、これをその位置に配置することになる。
表示領域移動部１０７は、アイコンが縮小される領域（以下、縮小領域という。）に配置される非注目情報のアイコンを、その位置に応じて縮小表示する（ステップＳ２４５）。図７〜図９では、円１２２内の白い領域は縮小領域ではなく、白以外の色の領域が縮小領域であるとする。図８では、非注目情報Ｄ２の表示位置が縮小領域に含まれている。従って、表示領域移動部１０７は、非注目情報Ｄ２のアイコン１３１２を、非注目情報Ｄ２の位置に応じた表示倍率で表示する。アイコン１３１２が縮小領域の位置に応じてどのようなサイズに表示されるかは、図１１で説明した画面設定情報に基づく。
次に表示領域移動部１０７は、表示領域から外れてしまう非注目情報のアイコンが存在すれば、これを円１２２内の表示から消去する（ステップＳ２４６）。たとえば、図８で表示されている非注目情報Ｄ２は、図９では消去されている。非注目情報Ｄ２等の非注目情報のアイコンをどの時点で表示しないようにするかは、図１１で説明した画面設定情報に基づく。
以上のステップＳ２４３〜ステップＳ２４６の処理が上下キー１１１の下キーの単位量の押下に対して行われたら、処理が再びステップＳ２４１に戻る（リターン）。すなわち、ユーザが上下キー１１１の下キーの押下を繰り返し行っている間は、以上のステップＳ２４３〜ステップＳ２４６の処理が繰り返され、液晶ディスプレイ１１２の表示領域に表示される情報のアイコンが、原点方向に向かって移動するような表示が行われる。液晶ディスプレイ１１２は、そのサイズや解像度が限られるので、非注目情報Ｄ２、Ｄ３、Ｄ４のアイコン１３１２、１３１３、１３１４の全部を一度に表示することができるとは限らない。前述のように、本実施の形態の関係情報表示装置は、情報空間の一部の領域のみを表示の対象とし、上下キー１１１を介した指示により、情報空間内で、内部に含まれる情報が表示の対象となる表示範囲を定める。情報空間の中心部付近の領域が表示範囲である場合、情報空間の中心付近に存在し、表示範囲に含まれる非注目情報のアイコンが表示領域に表示される。また、上下キー１１１を介した指示により、情報空間の中心から離れた領域が表示範囲になった場合、情報空間の中心から離れた場所に存在し、表示範囲に含まれた非注目情報のアイコンが表示領域に表示される。
一方、上下キー１１１の上キーが押下された場合には（ステップＳ２４１：Ｎ、ステップＳ２４２：Ｙ）、ステップＳ２４３〜ステップＳ２４６と全く逆の表示処理が行われる（ステップＳ２４７〜ステップＳ２５０）。まず、ユーザが上下キー１１１の上キーを押下すると（ステップＳ２４２：Ｙ）、表示領域移動部１０７が、液晶ディスプレイ１１２の円１２２内における表示領域を、単位量だけ動径方向の内側に移動する（ステップＳ２４７）。
表示領域の移動が行われたら、表示領域移動部１０７は移動後の領域に対応するように非注目情報を配置（移動）する（ステップＳ２４８）。表示領域移動部１０７は、次にアイコンが縮小される領域（以下、縮小領域という。）に配置される情報について、その位置に応じてアイコンを縮小表示する（ステップＳ２４９）。また、縮小領域から通常のサイズの表示される領域に移動することになったアイコンについては、そのサイズを縮小サイズから通常のサイズに復帰させる。
次に表示領域移動部１０７は、表示領域から外れて消去された非注目情報のうち、縮小サイズで新たに表示されるものがあれば、これを縮小領域にその表示倍率で復活させて表示する（ステップＳ２５０）。たとえば、図９の表示内容から図８の表示内容に表示が変化した場合には、縮小領域に非注目情報Ｄ２が新たに表示されることになる。非注目情報Ｄ２等の非注目情報をどの時点で表示するようにするかは、図１１で説明した画面設定情報に基づく。以上のステップＳ２４７〜ステップＳ２５０の処理が行われたら、処理が再びステップＳ２４１に戻る（リターン）。
以上説明した本実施の形態では、動径長と中心角の計算方法について具体的な説明を行わなかった。これについては、たとえば特許文献１で示されている情報間に引力と斥力を設定した物理モデルを用いることで可能である。
このように本実施の形態の関係情報表示装置１００によれば、上下キー１１１によ簡単なキー操作で、限られた表示領域に各種の情報の関係を表示することができる。しかも本実施の形態によれば、上下キー１１１の操作と画面の表示領域の移動が連動し、かつ、表示から溢れた情報は極座標平面の原点に落ちていくような表現が行われる。したがって、上下キー１１１の操作の方向と、表示領域の移動の方向とが視覚的に一致し、ユーザは情報自身が極座標上を移動していくような意識を持つことができ、表示領域の変化を意識する必要がない。このため、誰でも関係情報表示装置１００の操作を容易に理解することができ、誤操作が少なくなるという効果がある。
＜第３の実施形態の第１の変形例＞
図１４は、第３の実施形態の第１の変形例における関係情報表示装置の構成の概要を表したものである。この図１４で図４と同一部分には同一の符号を付しており、これらの説明を適宜省略する。
本変形例における関係情報表示装置１００Ａは、情報縮小部１０８の処理後の情報を情報明度変更部３０１に送出するようになっている。情報明度変更部３０１は、液晶ディスプレイ１１２の表示領域に配置される非注目情報のアイコンの背景部部分の明度が動径方向内側のものほど暗くなるように調整するようになっている。主制御部１０３Ａはそのメモリ１０２Ａに、表示領域のアイコンの背景部部分の明度の調整を伴う制御を可能にする制御プログラムを格納している。この制御プログラムでは、先の実施の形態で図７〜図９に示した円１２２内における表示領域の動径方向内側の境界に配置された非注目情報を表すアイコンの明度を最低にする。そして、動径方向外側に向かって、表示画面に表示するこれら非注目情報のアイコンの明度を明るくしていく。
図１５は、本変形例で情報空間全体のうちの一部領域を画面に表示した状態の一例を表したものである。図１５で表示の対象となっている領域には、非注目情報Ｄ２、Ｄ３、Ｄ４が含まれている。図１５で図７〜図９と同一部分には同一の符号を付しており、これらの説明を適宜省略する。
図１５では、先の実施の形態の非注目情報Ｄ２、Ｄ３、Ｄ４をそれぞれ表すアイコン１３１Ａ２、１３１Ａ３、１３１Ａ４が、表示画面１２１に描画された円１２２内の対応する箇所に配置されている。この例では、円１２２内の地色部分の明度は中心部分から周辺部分にかけて４段階に変化している。円１２２の比較的中心部分に配置された非注目情報Ｄ２を表すアイコン１３１Ａ２の背景色の明度は、その配置された動径位置の地色と一致している。この結果、アイコン１３１Ａ２の背景色の明度は４段階の地色の明度の２番目に暗いものとなっている。非注目情報Ｄ３を表すアイコン１３１Ａ３の背景色の明度は、その配置された動径位置の地色と一致している。この結果、アイコン１３１Ａ３の背景色の明度は４段階の地色の明度の３番目に暗いものとなっている。円１２２の比較的周辺部分に配置された非注目情報Ｄ４を表すアイコン１３１Ａ４の背景色の明度は、その配置された動径位置の地色と一致している。この結果、アイコン１３１Ａ４の背景色の明度は４段階の地色の明度の最も明るいものとなっている。
図１６は、本変形例におけるアイコンの背景色の制御の様子を表したものである。この図１６で図１３と同一部分には同一の符号を付しており、これらの説明を適宜省略する。図１４および図１５と共に説明する。
液晶ディスプレイ１１２には、初期状態で図７に示すと同様のアイコンの配置が行われる。ただし、アイコンの背景は、その非注目情報の動径位置の円１２２内の地色と一致させる。
上下キー１１１の下キーが押下されて（ステップＳ２４１：Ｙ）、表示領域の移動が行われたら（ステップＳ２４３）、表示領域移動部１０７は移動後の領域に対応するように非注目情報のアイコン１３１Ａを配置（移動）する（ステップＳ２４４）。次に、円１２２内に配置したそれぞれのアイコンの背景色の明度をこれらの非注目情報の配置される動径位置の地色と一致させる（ステップＳ４０１）。その後、ステップＳ２４５の処理に進む。
一方、上下キー１１１の上キーが押下されて（ステップＳ２４１：Ｎ、ステップＳ２４２：Ｙ）、表示領域の移動が行われたら（ステップＳ２４７）、表示領域移動部１０７は移動後の領域に対応するように非注目情報のアイコンを配置（移動）する（ステップＳ２４８）。次に、円１２２内に配置されたそれぞれのアイコンの背景色の明度をこれらの非注目情報の配置される動径位置の地色と一致させる（ステップＳ４０２）。その後、ステップＳ２４９の処理に進むことになる。
以上説明したように、本変形例では、各アイコンの背景部分の明度がこれらの非注目情報の動径位置に応じて円１２２の中心に近づくほど暗くなる。したがって、ユーザは各アイコンの明度やサイズを注目することで、これらのアイコンに対応する非注目情報の動径の変化を容易に把握することができる。また、極座標平面において表示領域の表示範囲が変化していくときに、表示領域から動径方向内側へ溢れた情報が画面奥へ落ちていく表現を先の実施の形態よりも強調して実現することができる。これにより、上下キー１１１の操作の方向と、表示領域の変化に伴う配置情報の移動方向が視覚的により良好に一致する。
＜第３の実施形態の第２の変形例＞
図１７は、第３の実施形態の第２の変形例における関係情報表示装置の構成の概要を表したものである。以下、図４に構成を示す第３の実施形態との相違点を中心に説明する。図１７に示す本変形例の構成のうち、図４に示す第３の実施形態と同一の要素には、図４と同一の符号を付し、説明を省略する。
本変形例における関係情報表示装置１００Ｂは、情報縮小部１０８の処理後の情報を情報変形部５０１に送出する。情報変形部５０１は、非注目情報のアイコンの輪郭を構成する４つの辺のうちの２つの辺を、原点とその非注目情報が配置される点とを通る直線と円１２２との交点における円１２２の接線に平行であり、前記直線がそれぞれの中央を通る線分にする。そして、情報変形部５０１は、これらの平行な２辺の長さを、それぞれの辺の中央の位置の動径の長さに所定の定数を掛けた長さにする。また、平行な二辺の間の距離は、例えば、原点と、平行な二辺のうち原点に近い方の辺の中央の点とを結ぶ線分の長さに、所定の定数を掛けた距離にする。アイコンの形状は、前記の平行な二辺と、互いに長さの等しい他の二辺により構成される台形である。主制御部１０３Ｂはそのメモリ１０２Ｂに、以上の制御を追加的に可能にする制御プログラムを格納している。
図１８は、３つの非注目情報Ｄ２、Ｄ３、Ｄ４のアイコンの表示例を示したものであり、図１９はこの中の１つについてアイコンの変形の様子を示したものである。図１９は非注目情報Ｄ３に着目して、そのアイコン１３１Ｂ３の変形の様子を示している。アイコン１３１Ｂ３は、円１２２の原点Ｏと非注目情報Ｄ３の配置される点（図示せず）を結ぶ線分を延長した直線５１１がこの円１２２と交わる点Ｐにおける接線５１２と平行な２辺５２１、５２２を有している。これらの２辺５２１、５２２のそれぞれの長さは、これらの辺が直線５１１と交わる位置における動径の長さに所定の定数を掛けた長さとなっている。アイコン１３１Ｂ３を構成する台形の他の２辺５２３、５２４は互いに等しい長さとなって、２辺５２１、５２２と接続し、台形を構成している。
図１７に示した情報変形部５０１は、図１８に示した他の２つの非注目情報Ｄ２、Ｄ４のアイコン１３１Ｂ２、１３１Ｂ４も同様の手法で描画する。したがって、アイコン１３１Ｂ４を構成する台形の４辺は、アイコン１３１Ｂ３を構成する４辺のそれぞれ対応する辺の長さよりも長いことになる。また、アイコン１３１Ｂ２を構成する台形の４辺は、アイコン１３１Ｂ３を構成する４辺のそれぞれ対応する辺の長さよりも短いことになる。
図２０は、第２の変形例におけるアイコンの表示処理を表すフローチャートである。ここでは、図１３に示す第３の実施形態の表示処理との相違点を中心に説明する。図１３及び図２０を参照すると、図１３におけるステップＳ２４５及びステップＳ２４９が、図２０ではそれぞれステップＳ６０１及びステップＳ６０２となっている点が異なり、他のステップは同一である。図１３と同一の符号を付したステップの詳細な説明は省略する。図１７および図１８と共に説明する。また、必要により図７を参照し、この際にはアイコン１３１２〜１３１４をそれぞれアイコン１３１Ｂ２〜１３１Ｂ４と読み替える。
液晶ディスプレイ１１２には、初期状態で図７に示すと同様のアイコンの配置が行われる。上下キー１１１の下キーが押下されて（ステップＳ２４１：Ｙ）、表示領域の移動が行われたら（ステップＳ２４３）、表示領域移動部１０７は移動後の領域に対応するように非注目情報のアイコンを配置（移動）する（ステップＳ２４４）。次に、円１２２内に配置したそれぞれのアイコンの輪郭をなす台形の４辺を、これらの配置される位置に応じて変形する。具体的には、情報変形部５０１が図１９で説明した演算を行い、それぞれのアイコンを描画する（ステップＳ６０１）。その後、ステップＳ２４６の処理に進む。
一方、上下キー１１１の上キーが押下されて（ステップＳ２４１：Ｎ、ステップＳ２４２：Ｙ）、表示領域の移動が行われたら（ステップＳ２４７）、表示領域移動部１０７は移動後の領域に対応するように非注目情報のアイコンを配置（移動）する（ステップＳ２４８）。次に、円１２２内に配置したそれぞれのアイコンの輪郭をなす台形の４辺を、これらの配置される位置に応じて変形する。具体的には、情報変形部５０１が図１９で説明した処理を行い、それぞれのアイコンを描画する（ステップＳ６０２）。その後、ステップＳ２５０の処理に進むことになる。
以上説明したように、本変形例では、各アイコン１３１Ｂ２、１３１Ｂ３、１３１Ｂ４は、非注目情報Ｄ２、Ｄ３、Ｄ４の動径に比例した長さの辺で表現される。このため、円１２２内のそれぞれの位置に応じたサイズで各アイコン１３１Ｂ２、１３１Ｂ３、１３１Ｂ４が描画される。この結果、円１２２内に一度に表示される非注目情報の数が比較的多い場合にも、これらをバランスよく配置して見やすく表現することができる。しかも極座標平面において表示領域を移動させる際に、表示領域から動径方向内側へ溢れた情報が画面奥へ落ちていく表現を実施の形態よりも強調して実現することができる。また、上下キー１１１の操作の方向と、円１２２内の表示領域の移動方向が視覚的に一致する。
＜第３の実施形態の第３の変形例＞
図２１は、第３の実施形態の第３の変形例における関係情報表示装置の構成を表す図である。以下、図２１に示す本変形例と図４に示す第３の実施例との相違点を中心に説明する。図２１と図４で同一の符号を付した要素は同一であるので、これらの詳細な説明は省略する。
本変形例の関係情報表示装置１００Ｃは、図４に示す関係情報表示装置１００の構成に加えて、情報誌記載変更部７０１と、移動範囲規制部７０２とを含む。
本変形例における関係情報表示装置１００Ｃは、情報縮小部１０８の処理後の情報を情報色彩変更部７０１に送出する。情報色彩変更部７０１は、表示領域に配置される非注目情報のアイコンの色を、対応する非注目情報の注目情報に対する関係強度の大きさに応じて決める。たとえば、注目情報に対する関係強度が最大である非注目情報のアイコンの色は、可視光のうち波長の長い光の色である赤にする。一方、注目情報に対する関係強度が最小である非注目情報のアイコンの色は、可視光のうち波長の短い光の色である青にする。他の非注目情報のアイコンの色は、赤色光の波長より短く、青色光の波長より長い波長の光の色にする。それぞれのアイコンも割り当てる色の光の波長は、例えば、その波長と青色光の波長との差が、そのアイコンに対応する非注目情報の注目情報に対する関係強度と関係強度の最小値との差に比例する波長にすればよい。色の割り当てはこの逆であってもよい。移動範囲規制部７０２は、上下キー１１１の押下によって液晶ディスプレイ１１２に表示される表示領域の範囲を一連の非注目情報の表示が行われる範囲に制限するようになっている。主制御部１０３Ｃはそのメモリ１０２Ｃに、以上の制御を追加的に可能にする制御プログラムを格納している。
移動範囲規制部７０２は、表示の対象となる全ての非注目情報のアイコンが、表示領域より動径方向内側に移動すること、および、表示領域より動径方向外側に移動することを防ぐために、アイコンが表示される位置をチェックする。
図２２は、本変形例におけるアイコンの表示処理を表すフローチャートである。以下、図１３に示す第３の実施形態の動作を示すフローチャートと、図２２に示す本変形例の動作を示すフローチャートとの相違点を中心に説明を行う。図１３及び図２２で同一の符号を付したステップは同一であるので、詳細な説明は省略する。図２１と共に説明する。また、必要により図７〜図９を参照し、この際にはアイコン１３１２〜１３１４をそれぞれアイコン１３１Ｃ２〜１３１Ｃ４と読み替える。
初期状態では、液晶ディスプレイ１１２に表示されるアイコンの配置は、例えば図７に示すアイコンの配置と同様であるとする。この状態で上下キー１１１の下キーが押下されたとする（ステップＳ２４１：Ｙ）。すると、表示領域移動部１０７に接続された移動範囲規制部７０２は、表示の対象となる非注目情報の中で、注目情報に対する関係強度が最小の非注目情報のアイコンの表示位置が表示領域より外側であるかチェックする（ステップＳ８０１）。図７〜図９では、表示領域は、円１２２と、最も内側の円とにより囲まれる範囲である。アイコンの表示位置が表示領域内である場合に、該アイコンを表示する。従って、ステップＳ８０１では、注目情報に対する関係強度が最小の非注目情報のアイコンが、円１２２より内側に存在するか否かを判別すればよい。
前述の実施形態と同様、注目情報Ｄ１及び非注目情報Ｄ２、Ｄ３、Ｄ４が、図６に示す関係強度を持つとする。本変形例では、非注目情報Ｄ２、Ｄ３、Ｄ４を表すアイコンを、それぞれアイコン１３１Ｃ２、１３１Ｃ３、１３１Ｃ４とする。非注目情報Ｄ２、Ｄ３、Ｄ４の中で、注目情報との間の関係強度が最も小さいのは、非注目情報Ｄ４である。この場合、移動範囲規制部７０２は、アイコン１３１Ｃ４が円１２２内に存在するか否かのチェックを行う。
注目情報との間の関係強度が最も小さい非注目情報に対応するアイコンが円１２２内に存在するなら、表示位置が円１２２の円周より原点から遠い場所である他の非注目情報は存在しない。従って、これ以上、表示範囲を動径方向外側に移動しても、他の非注目情報のアイコンが表示領域に現れることはない。そこで注目情報との間の関係強度が最も小さい非注目情報に対応するアイコンの表示位置が、表示領域より外側ではない（円１２２より内側である）と判別されれば（ステップＳ８０１：Ｎ）、ステップＳ２４１に処理が戻る。この場合、直前に行った下キーの押下による表示領域の移動は行われない。なお、関係情報表示装置１００Ｃによっては、このときエラー音を出力して、ユーザの注意を喚起してもよい。
これに対して、注目情報との間の関係強度が最も小さい非注目情報に対応するアイコンの表示位置が、表示領域より外側である（円１２２より外側である）との判別が行われた場合（ステップＳ８０１：Ｙ）、表示領域の動径方向外側への移動が行われる（ステップＳ２４３、ステップＳ２４４）。そして、情報誌記載変更部７０１は、表示領域内に表示される全ての非注目情報のアイコンに対し、注目情報との関係強度に応じた色彩による着色を行う（ステップＳ８０２）。このとき、さらに、各アイコンの明度を該アイコンの表示位置の動径に応じて変化させてもよい。また、表示対象となる非注目情報のアイコンの輪郭形状を、第２の変形例のように変形することも可能である。その後、ステップＳ２４６の処理に進む。
次に、上下キー１１１の上キーが押下された場合（ステップＳ２４１：Ｎ、ステップＳ２４２：Ｙ）を説明する。この場合、移動範囲規制部７０２は、表示の対象となる非注目情報の中で、注目情報に対する関係強度が最大の非注目情報のアイコンの表示位置が、表示領域より動径方向内側に存在し、表示領域に表示されない状態となっているか否かをチェックする（ステップＳ８０３）。図７〜図９の例では、表示領域は円１２２と最も内側の円に囲まれる領域である。従って、この場合、関係強度が最大の非注目情報の情報空間における位置が、表示範囲の最も内側より原点寄りにあるか否かを判定すればよい。あるいは、関係強度が最大の非注目情報のアイコンの動径が、最も内側の円より内側にあるか否かを判定してもよい。
非注目情報Ｄ２、Ｄ３、Ｄ４の中で、注目情報との間の関係強度が最も大きいのは、非注目情報Ｄ２である。従って、この例では、移動範囲規制部７０２は、非注目情報Ｄ２の情報空間における位置が、表示範囲より動径方向内側であるか否かを判定する。あるいは、移動範囲規制部７０２は、非注目情報Ｄ２のアイコン１３１Ｃ２の表示位置が、表示領域より動径方向内側であり、アイコン１３１Ｃ２が表示されない状態となっているか否かをチェックする。
情報空間上で、最も関係強度が大きい非注目情報より中心に近い位置に、他の非注目情報は存在しない。従って、注目情報との間の関係強度が最も大きい非注目情報の位置が、表示範囲より動径方向内側ではない場合、表示領域を動径方向内側に移動させても、新たに表示領域に現れる他の非注目情報のアイコンは存在しない。すなわち、上キーをこれ以上押しても、他のアイコンが表示領域内に現れる可能性はない。
そこで、注目情報に対する関係強度が最大の非注目情報のアイコンの表示位置が、表示領域より内側ではない場合（ステップＳ８０３：Ｎ）、ステップＳ２４１に処理が戻り、上キーの押下による表示領域の移動は行われない。関係情報表示装置１００Ｃによっては、このときエラー音を出力して、ユーザの注意を喚起してもよい。
これに対して、注目情報に対する関係強度が最大の非注目情報のアイコンの表示位置が表示領域より内側であり、該アイコンが表示領域に表示されていない場合、上キーの操作に従って表示領域を動径方向内側に移動することで、少なくとも注目情報に対する関係強度が最大の非注目情報のアイコンが表示領域上に現れる可能性がある。そこで、注目情報に対する関係強度が最大の非注目情報のアイコンの表示位置が、表示領域より内側である場合（ステップＳ８０３：Ｙ）、表示領域移動部１０７は、表示領域の動径方向内側への移動を行う（ステップＳ２４７、ステップＳ２４８）。そして、情報色彩変更部７０１は、表示領域内に表示される全ての非注目情報のアイコンの色を、注目情報との関係強度に応じた色に変更する（ステップＳ８０４）。このとき、情報色彩変更部７０１は、それぞれのアイコンの明度を、アイコンの動径に応じて変化させてもよい。また、それぞれの非注目情報のアイコンの輪郭を、第２の変形例のように変形することも可能である。その後、ステップＳ２５０の処理に進む。
以上説明したように、本変形例では、関係情報表示装置１００Ｃが情報色彩変更部７０１を備えているので、ユーザは表示領域に表示されている非注目情報が、図５に示した情報空間の全領域のどこに属するかを直感的に把握することができる。また、関係情報表示装置１００Ｃが移動範囲規制部７０２を備えているので、上下キー１１１を同一方向に押し過ぎて、円１２２内に表示すべき非注目情報のすべてが表示範囲外となる事態を避けることができる。
＜第３の実施形態の第４の変形例＞
先の実施の形態および第１〜第３の変形例では、表示画面の関係情報の表示領域が円形となる場合を説明したが、これに限るものではない。第３の実施形態の第４の変形例および第５の変形例は、表示領域が円形以外の場合の例である。
図２３は、第３の実施形態の第４の変形例における関係情報表示装置の表示領域を表す図である。本変形例では、表示領域９０１は細長い矩形である。
図３２を参照すると、表示領域９０１の左端が原点Ｏである。原点に注目情報Ｄ１（図示せず）が配置されているものとする。表示領域９０１の、それぞれの非注目情報と注目情報との関係強度に応じた位置に、非注目情報のアイコンが表示される。表示領域９０１の左端の原点と表示されるアイコンとの水平距離が、該アイコンに対応する非注目情報の注目情報との間の関係強度の程度を表す。表示領域９０１内に表示されるアイコンの位置が左端の原点から離れるほど、対応する非注目情報の注目情報との関係強度が小さくなる。すなわち、図１２の動径が、表示領域９０１の原点Ｏからの水平方向の距離に対応する。表示領域９０１は複数の領域に分割されている。それぞれの領域の明度は、原点から遠いほど高くなっている。また、図３２の例では、前記複数の領域のうち、最も原点に近い左端の領域が表示位置であるアイコンは表示しない。
図３２の例では、非注目情報Ｄ３及びＤ４のアイコンが１３１Ｄ３と１３１Ｄ４が表示されている。
本変形例では、それぞれの非注目情報の注目情報と間の関係強度を表すアイコンを、左右キーにより表示領域上を移動させる。本変形例の関係情報表示装置は、表示位置が表示領域９０１の右端より右側にあるアイコンと、表示位置が表示領域９０１の左端の領域の右端より左側にあるアイコンは表示しない。従って、左右キーの操作により、表示位置が表示領域９０１の右端より右側に移動したアイコンや、表示位置が表示領域９０１の左端の領域内に移動したアイコンは、表示領域９０１から消滅する。
ただし、本変形例では各非注目情報同士の関係強度を表示することはできない。
＜第３の実施形態の第５の変形例＞
図２４は、第３の実施形態の第５の変形例における関係情報表示装置の表示領域の例を表す図である。
本変形例の表示領域９１１は、原点Ｏを中心とした３６０度よりも小さい中心角の扇形である。図示しないディスプレイがこのような扇形であってもよいが、たとえば矩形のディスプレイにこのような扇形が表示されてもよい。本変形例の関係情報表示装置は、表示領域９１１内の、それぞれの非注目情報と注目情報との間の関係強度に応じた位置に、該非注目情報のアイコンを表示する。
本変形例でも、原点Ｏが注目情報（図示せず）の位置に対応する。また、表示されるアイコンの原点からの距離が、注目情報と前記アイコンに対応する各非注目情報との間の関係強度の程度を表す。さらに、表示位置が原点Ｏにある程度接近した非注目情報のアイコン１３１Ｅ２）は表示しない。図２４を参照すると、扇形の表示領域９１１は、円弧により複数の領域に分割されている。このうち、最も中心に近い扇形の領域内がアイコンの表示位置である場合、該アイコンは表示しないものとする。
本変形例の関係情報表示装置は、一つの非注目情報と他の非注目情報との間の関係強度を、基準となる非注目情報と他の非注目情報の表示位置の中心角によって表す。例えば、非注目情報間の関係強度の基準となる非注目情報として、注目情報と関係のある非注目情報から選択した非注目情報を、非注目情報Ｄａとする。選択した非注目情報Ｄａの表示位置を、扇形を構成する２つの半径のうちの一方の半径上で、注目情報と非注目情報Ｄａとの間の関係強度に応じた動径長の位置とする。また、非注目情報Ｄａとの関係強度が最も小さい非注目情報（Ｄｂとする）の表示位置を、扇形を構成する２つの半径のうちＤａのアイコンが配置されていない半径上で、注目情報と非注目情報Ｄｂとの間の関係強度に応じた動径長の位置とする。他の非注目情報の表示位置の中心角は、非注目情報Ｄａとの間の関係強度の大きさによって、扇形を構成する２つの半径の間になるように定める。また、各非注目情報の表示位置の動径は、該非注目情報と注目情報との間の関係強度に応じて決める。なお、非注目情報Ｄａ及び非注目情報Ｄｂの表示位置は、必ずしも扇形を構成する半径上にある必要はなく、扇形の内部であれば半径の近傍であってもよい。また、基準となる非注目情報は、注目情報との関係強度が最も大きい非注目情報である必要はない。また、基準となる非注目情報は、手動ではなく、例えば注目情報との間の関係強度など、所定の基準によって選択することもできる。
図２４の例では、各アイコンの表示位置の中心角は、扇形を構成する一方の半径９１２の側に配置されているアイコン１３１Ｅ３に対応する非注目情報Ｄ３を基準として、非注目情報Ｄ３と他のアイコンに対応する非注目情報との間の関係強度の大小を表す。図２４の例では、非注目情報Ｄ３との間の関係強度が最も小さい非注目情報は、非注目情報Ｄ５である。非注目情報Ｄ５のアイコン１３１Ｅ５は、扇形を構成する他の半径９１３の近傍に配置されている。
注目情報と関係のある非注目情報であれば任意の非注目情報を、非注目情報間における関係強度の比較の基準として選択することができる。従って、本変形例の関係情報表示装置は、注目情報と関係のある非注目情報であれば任意の非注目情報対する他の非注目情報の関係強度を表示することができる。各非注目情報に対応するアイコンは、基準として選択した非注目情報に応じて、異なる位置に表示される。
本変形例には、扇形あるいは細長い矩形領域に対しても注目情報と各非注目情報の関係だけでなく、各非注目情報同士の関係も表示することができるという効果がある。
＜その他の実施形態＞
本発明では、（イ）領域内の固定した点に注目すべき１つの情報としての注目情報を表わす原点を配置し、原点との距離が短くなるほど予め定めた距離と表示倍率の特性曲線に基づいて加速度的に表示倍率が零に近付くような表示ウィンドウを設定する表示ウィンドウ設定手段と、（ロ）予め定めた複数の情報同士の関係の強度を表わす関係強度情報の中から１つの情報を前記した注目情報とし、残りの情報を非注目情報としたときの前記した注目情報に対して指定した強度以上の関係を有する前記した非注目情報をすべて抽出して前記した指定した強度が前記した表示ウィンドウの原点から最も遠い位置に配置されるように前記した表示ウィンドウ設定手段で設定した前記した表示ウィンドウに投入して、投入した前記した非注目情報のそれぞれの座標位置にそれらの情報を表わす識別マークを付して表示する抽出情報表示手段と、（ハ）距離関係の指定値を増減する指定値増減手段と、（ニ）前記した表示ウィンドウ内における特定の座標位置よりも原点に近い座標位置に位置する前記した非注目情報の前記した識別マークの表示を消去する表示消去手段とを関係情報表示装置が具備する。
また、本発明では、（イ）予め定めた領域内の固定した１点に注目すべき１つの情報としての注目情報を表わす原点を配置し、予め定めた距離と表示倍率の特性曲線に基づいて、前記した原点との距離が短くなるほど加速度的に表示倍率が零に近付くような表示ウィンドウに対して、相互の関係の強さを関係強度として表示する対象となる予め定めた複数の情報の中から１つの情報を前記した注目情報として設定する注目情報設定ステップと、（ロ）この注目情報設定ステップで設定した前記した注目情報との間で前記した表示ウィンドウでの表示の対象となる関係強度の値の境界値の増減を指定する増減指定ステップと、（ハ）前記した予め定めた複数の情報の中の前記した注目情報を除いた残りの情報としての非注目情報からこの増減指定ステップで指定した関係強度以上の関係を有する情報をすべて抽出して前記した注目情報との関係強度が弱い非注目情報ほど前記した表示ウィンドウの原点から遠い位置に配置されるように前記した非注目情報のそれぞれの座標位置を決定し、これらの非注目情報に識別マークをそれぞれ表示のために割り当てる識別マーク割り当てステップと、（ニ）この識別マーク割り当てステップで割り当てられた非注目情報の識別マークのうちで前記した表示ウィンドウ内における特定の座標位置よりも原点に近い座標位置に配置されるものの表示を消去すると共にそれ以外の座標位置の非注目情報についてはそれぞれの位置に識別マークを表示する表示制御ステップとを関係情報表示方法が具備する。
更に本発明では、コンピュータに、関係情報表示プログラムとして、（イ）予め定めた領域内の固定した１点に注目すべき１つの情報としての注目情報を表わす原点を配置し、予め定めた距離と表示倍率の特性曲線に基づいて、前記した原点との距離が短くなるほど加速度的に表示倍率が零に近付くような表示ウィンドウに対して、相互の関係の強さを関係強度として表示する対象となる予め定めた複数の情報の中から１つの情報を前記した注目情報として設定する注目情報設定処理と、（ロ）この注目情報設定処理で設定した前記した注目情報との間で前記した表示ウィンドウでの表示の対象となる関係強度の値の境界値の増減を指定する増減指定処理と、（ハ）前記した予め定めた複数の情報の中の前記した注目情報を除いた残りの情報としての非注目情報からこの増減指定処理で指定した関係強度以上の関係を有する情報をすべて抽出して前記した注目情報との関係強度が弱い非注目情報ほど前記した表示ウィンドウの原点から遠い位置に配置されるように前記した非注目情報のそれぞれの座標位置を決定し、これらの非注目情報に識別マークをそれぞれ表示のために割り当てる識別マーク割り当て処理と、（ニ）この識別マーク割り当て処理で割り当てられた非注目情報の識別マークのうちで前記した表示ウィンドウ内における特定の座標位置よりも原点に近い座標位置に配置されるものの表示を消去すると共にそれ以外の座標位置の非注目情報についてはそれぞれの位置に識別マークを表示する表示制御処理とを実行させることを特徴としている。
図２７は、本発明のその他の実施例の関係情報表示装置の構成図を示したものである。本発明の関係情報表示装置１０は、表示ウィンドウ設定手段１１と、抽出情報表示手段１２と、指定値増減手段１３と、表示消去手段１４を備えている。ここで、表示ウィンドウ設定手段１１は、領域内の固定した点に注目すべき１つの情報としての注目情報を表す原点を配置する。そして、原点との距離が短くなるほど予め定めた距離と表示倍率の特性曲線に基づいて加速度的に表示倍率が零に近付くような表示ウィンドウを設定する。抽出情報表示手段１２は、予め定めた複数の情報同士の関係の強度を表す関係強度情報の中から１つの情報を前記した注目情報として指定する。そして、残りの情報を非注目情報としたときの前記した注目情報に対して指定した強度以上の関係を有する前記した非注目情報をすべて抽出する。この後、指定した強度が前記した表示ウィンドウの原点から最も遠い位置に配置されるように前記した表示ウィンドウ設定手段１１で設定した前記した表示ウィンドウに投入する。そして、投入した前記した非注目情報のそれぞれの座標位置にそれらの情報を表す識別マークを付して表示する。指定値増減手段１３は、距離関係の指定値を増減する。表示消去手段１４は、前記した表示ウィンドウ内における特定の座標位置よりも原点に近い座標位置に位置する前記した非注目情報の前記した識別マークの表示を消去する。
図２８は、本発明のその他の実施例の関係情報表示方法の構成図を示したものである。本発明の関係情報表示方法２０は、注目情報設定２１と、増減量指定２２と、識別マーク割り当て２３と、表示制御２４とを備えている。ここで、注目情報設定２１は、表示ウィンドウに対して、相互の関係の強さを関係強度として表示する対象となる予め定めた複数の情報の中から１つの情報を注目情報として設定する。この表示ウィンドウは、予め定めた領域内の固定した１点に注目すべき１つの情報としての注目情報を表す原点を配置している。そして、予め定めた距離と表示倍率の特性曲線に基づいて、前記した原点との距離が短くなるほど加速度的に表示倍率が零に近付くような表示を行うようになっている。増減量指定２２では、注目情報設定２１で設定した前記した注目情報との間で前記した表示ウィンドウでの表示の対象となる関係強度の値の境界値の増減を指定する。識別マーク割り当て２３では、前記した予め定めた複数の情報の中の前記した注目情報を除いた残りの情報としての非注目情報からこの増減指定２２で指定した関係強度以上の関係を有する情報をすべて抽出する。そして前記した注目情報との関係強度が弱い非注目情報ほど前記した表示ウィンドウの原点から遠い位置に配置されるように前記した非注目情報のそれぞれの座標位置を決定し、これらの非注目情報に識別マークをそれぞれ表示のために割り当てる。表示制御２４では、識別マーク割り当て２３で割り当てられた非注目情報の識別マークのうちで前記した表示ウィンドウ内における特定の座標位置よりも原点に近い座標位置に配置されるものの表示を消去する。また、それ以外の座標位置の非注目情報についてはそれぞれの位置に識別マークを表示する。
図２９は、本発明のその他の実施例の関係情報表示プログラムのク構成図を示したものである。本発明の関係情報表示プログラム３０は、注目情報設定処理３１と、増減量指定処理３２と、識別マーク割り当て処理３３と、表示制御処理３４とを実行させるようにしている。ここで、注目情報設定処理３１では、表示ウィンドウに対して、相互の関係の強さを関係強度として表示する対象となる予め定めた複数の情報の中から１つの情報を注目情報として設定する。ここで表示ウィンドウは、予め定めた領域内の固定した１点に注目すべき１つの情報としての注目情報を表す原点を配置している。そして、予め定めた距離と表示倍率の特性曲線に基づいて、前記した原点との距離が短くなるほど加速度的に表示倍率が零に近付くような表示を行う。増減量指定処理３２では、注目情報設定処理３１で設定した前記した注目情報との間で前記した表示ウィンドウでの表示の対象となる関係強度の値の境界値の増減を指定する。識別マーク割り当て処理３３では、前記した予め定めた複数の情報の中の前記した注目情報を除いた残りの情報としての非注目情報からこの増減指定処理３２で指定した関係強度以上の関係を有する情報をすべて抽出する。そして、前記した注目情報との関係強度が弱い非注目情報ほど前記した表示ウィンドウの原点から遠い位置に配置されるように前記した非注目情報のそれぞれの座標位置を決定する。この後、これらの非注目情報に識別マークをそれぞれ表示のために割り当てる。表示制御処理３４では、識別マーク割り当て処理３３で割り当てられた非注目情報の識別マークのうちで前記した表示ウィンドウ内における特定の座標位置よりも原点に近い座標位置に配置されるものの表示を消去する。また、それ以外の座標位置の非注目情報についてはそれぞれの位置に識別マークを表示する。
上記の実施形態の一部又は全部は、以下の付記のようにも記載されうるが、以下には限られない。
（付記１）領域内の固定した点に注目すべき１つの情報としての注目情報を表す原点を配置し、原点との距離が短くなるほど予め定めた距離と表示倍率の特性曲線に基づいて加速度的に表示倍率が零に近付くような表示ウィンドウを設定する表示ウィンドウ設定手段と、予め定めた複数の情報同士の関係の強度を表す関係強度情報の中から１つの情報を前記注目情報とし、残りの情報を非注目情報としたときの前記注目情報に対して指定した強度以上の関係を有する前記非注目情報をすべて抽出して前記指定した強度が前記表示ウィンドウの原点から最も遠い位置に配置されるように前記表示ウィンドウ設定手段で設定した前記表示ウィンドウに投入して、投入した前記非注目情報のそれぞれの座標位置にそれらの情報を表す識別マークを付して表示する抽出情報表示手段と、距離関係の指定値を増減する指定値増減手段と、前記表示ウィンドウ内における特定の座標位置よりも原点に近い座標位置に位置する前記非注目情報の前記識別マークの表示を消去する表示消去手段とを具備することを特徴とする関係情報表示装置。
（付記２）前記表示ウィンドウは円であり、前記原点は円の中心に配置されていることを特徴とする請求項１記載の関係情報表示装置。
（付記３）前記座標位置は極座標に基づいた位置であることを特徴とする請求項２記載の関係情報表示装置。
（付記４）前記注目情報と各非注目情報の間の前記識別マークの配置位置については、これらの関係の相対強度を前記原点を中心とした円周方向の１８０度以内の所定の角度範囲における中心角の広狭で設定することを特徴とする請求項２または請求項３記載の関係情報表示装置。
（付記５）前記識別マークを原点に近いほど縮小して表示するマーク縮小表示手段を具備することを特徴とする請求項１記載の関係情報表示装置。
（付記６）前記識別マークを原点に近いほど明度を変化させて表示する明度変更手段を具備することを特徴とする請求項１記載の関係情報表示装置。
（付記７）前記識別マークを原点との距離に応じた可視波長域の色で可変表示する色変更手段を具備することを特徴とする請求項１記載の関係情報表示装置。
（付記８）前記識別マークは４辺形であり、それぞれの辺の長さが原点との距離に依存する距離依存変形手段を具備することを特徴とする請求項５記載の関係情報表示装置。
（付記９）前記表示ウィンドウは細長い長方形であり、前記原点は長方形の長辺の一端側に配置されていることを特徴とする請求項１記載の関係情報表示装置。
（付記１０）
前記表示ウィンドウは扇形であり、前記原点は扇の要の位置に配置されていることを特徴とする請求項１または請求項４記載の関係情報表示装置。
（付記１１）予め定めた領域内の固定した１点に注目すべき１つの情報としての注目情報を表す原点を配置し、予め定めた距離と表示倍率の特性曲線に基づいて、前記原点との距離が短くなるほど加速度的に表示倍率が零に近付くような表示ウィンドウに対して、相互の関係の強さを関係強度として表示する対象となる予め定めた複数の情報の中から１つの情報を前記注目情報として設定する注目情報設定ステップと、この注目情報設定ステップで設定した前記注目情報との間で前記表示ウィンドウでの表示の対象となる関係強度の値の境界値の増減を指定する増減指定ステップと、前記予め定めた複数の情報の中の前記注目情報を除いた残りの情報としての非注目情報からこの増減指定ステップで指定した関係強度以上の関係を有する情報をすべて抽出して前記注目情報との関係強度が弱い非注目情報ほど前記表示ウィンドウの原点から遠い位置に配置されるように前記非注目情報のそれぞれの座標位置を決定し、これらの非注目情報に識別マークをそれぞれ表示のために割り当てる識別マーク割り当てステップと、この識別マーク割り当てステップで割り当てられた非注目情報の識別マークのうちで前記表示ウィンドウ内における特定の座標位置よりも原点に近い座標位置に配置されるものの表示を消去すると共にそれ以外の座標位置の非注目情報についてはそれぞれの位置に識別マークを表示する表示制御ステップとを具備することを特徴とする関係情報表示方法。
（付記１２）コンピュータに、予め定めた領域内の固定した１点に注目すべき１つの情報としての注目情報を表す原点を配置し、予め定めた距離と表示倍率の特性曲線に基づいて、前記原点との距離が短くなるほど加速度的に表示倍率が零に近付くような表示ウィンドウに対して、相互の関係の強さを関係強度として表示する対象となる予め定めた複数の情報の中から１つの情報を前記注目情報として設定する注目情報設定処理と、この注目情報設定処理で設定した前記注目情報との間で前記表示ウィンドウでの表示の対象となる関係強度の値の境界値の増減を指定する増減指定処理と、前記予め定めた複数の情報の中の前記注目情報を除いた残りの情報としての非注目情報からこの増減指定処理で指定した関係強度以上の関係を有する情報をすべて抽出して前記注目情報との関係強度が弱い非注目情報ほど前記表示ウィンドウの原点から遠い位置に配置されるように前記非注目情報のそれぞれの座標位置を決定し、これらの非注目情報に識別マークをそれぞれ表示のために割り当てる識別マーク割り当て処理と、この識別マーク割り当て処理で割り当てられた非注目情報の識別マークのうちで前記表示ウィンドウ内における特定の座標位置よりも原点に近い座標位置に配置されるものの表示を消去すると共にそれ以外の座標位置の非注目情報についてはそれぞれの位置に識別マークを表示する表示制御処理とを実行させることを特徴とする関係情報表示プログラム。
以上、実施形態を参照し本願発明を説明したが、本願発明は上記実施形態に限定されるものではない。本願発明の構成や詳細には、本願発明のスコープ内で当業者が理解し得る様々な変更をすることができる。
この出願は、２００９年４月１６日に出願された日本出願特願２００９−０９９６７３を基礎とする優先権を主張し、その開示の全てをここに取り込む。
【産業上の利用可能性】
【００１０】
以上説明した本発明は、複数の情報の関連を表示するあらゆる用途に適用することができる。また、上下キーを備える情報処理装置だけでなく、左右キー、十字キーやカーソルキーを備える装置にも本発明を同様に適用可能である。また、テンキーであっても任意の２つのキーを用いることができる。このため、本発明が適用される情報処理装置はテレビジョン等のリモートコントローラやコンピュータ等の操作部を備えるあらゆる装置が対象となる。
また、ディスプレイも矩形の表示画面に円を表示できるものだけでなく、円形の表示部に円を表示できるものであってもよい。
【図１】
0005505411.tif 000002
【図２】
0005505411.tif 000003
【図３】
0005505411.tif 000004
【図４】
0005505411.tif 000005
【図５】
0005505411.tif 000006
【図６】
0005505411.tif 000007
【図７】
0005505411.tif 000008
【図８】
0005505411.tif 000009
【図９】
0005505411.tif 000010
【図１０】
0005505411.tif 000011
【図１１】
0005505411.tif 000012
【図１２】
0005505411.tif 000013
【図１３】
0005505411.tif 000014
【図１４】
0005505411.tif 000015
【図１５】
0005505411.tif 000016
【図１６】
0005505411.tif 000017
【図１７】
0005505411.tif 000018
【図１８】
0005505411.tif 000019
【図１９】
0005505411.tif 000020
【図２０】
0005505411.tif 000021
【図２１】
0005505411.tif 000022
【図２２】
0005505411.tif 000023
【図２３】
0005505411.tif 000024
【図２４】
0005505411.tif 000025
【図２５】
0005505411.tif 000026
【図２６】
0005505411.tif 000027
【図２７】
0005505411.tif 000028
【図２８】
0005505411.tif 000029
【図２９】
0005505411.tif 000030